(57)【要約】【課題】無線通信システムにおける上向きリンク電力を制御する好適な方法及び装置を提供すること。【解決手段】無線通信システムにおける上向きリンク電力を制御する方法及び装置が提供される。端末（ＵＥ；ｕｓｅｒ  ｅｑｕｉｐｍｅｎｔ）は、ＵＥが第１のｅＮＢ（ｅＮｏｄｅＢ）に伝送される上向きリンク信号に第１の最大電力まで割り当てることができる第１の上向きリンクサブフレーム集合に対して、前記第１の最大電力を設定し、前記ＵＥが前記第１のｅＮＢに伝送される上向きリンク信号に第２の最大電力まで割り当てることができる第２の上向きリンクサブフレーム集合に対して、前記第２の最大電力を設定する。前記上向きリンク信号は、前記第１の上向きリンクサブフレーム集合で前記第１のｅＮＢにのみ伝送される。また、前記上向きリンク信号は、前記第２の上向きリンクサブフレーム集合で前記第１のｅＮＢ及び第２のｅＮＢに伝送される。【選択図】図１０
2020043601.tif 000002
【特許請求の範囲】
【請求項１】
無線通信システムにおける無線機器により実行される方法であって、前記方法は、
第１の最大電力及び第２の最大電力に関連する情報を受信することと、
第１の基地局への上向きリンク（ＵＬ）伝送が第２の基地局へのＵＬ伝送と重なり得るか否かを、ＴＤＤ（ｔｉｍｅ  ｄｉｖｉｓｉｏｎ  ｄｕｐｌｅｘ）構成に基づいて決定することと、
前記第１の基地局へのＵＬ伝送が前記第２の基地局へのＵＬ伝送と重なり得るという決定に基づいて、前記第１の最大電力に基づいて前記第２の基地局に対する伝送電力を決定することと、
前記第１の基地局へのＵＬ伝送が前記第２の基地局へのＵＬ伝送と重なり得ないという決定に基づいて、前記第２の最大電力に基づいて前記第２の基地局に対する伝送電力を決定することと、
前記第２の基地局に対する前記決定された伝送電力に基づいて、前記第２の基地局へのＵＬ伝送を実行することと
を含み、
前記無線機器は、前記第１の基地局及び前記第２の基地局の両方に二重連結で連結されている、方法。
【請求項２】
前記第１の基地局へのＵＬ伝送が前記第２の基地局へのＵＬ伝送と重なり得るか否かは、前記第１の基地局の時間間隔において決定される、請求項１に記載の方法。
【請求項３】
前記第１の基地局の前記時間間隔は、前記第２の基地局の時間間隔と時間的に重なる、請求項２に記載の方法。
【請求項４】
前記第２の基地局の前記時間間隔は、サブフレームである、請求項３に記載の方法。
【請求項５】
前記第１の基地局の前記時間間隔は、前記ＴＤＤ構成に基づいたＵＬ時間間隔として指示される、請求項２に記載の方法。
【請求項６】
前記第１の最大伝送電力は、前記第２の最大伝送電力よりも低い、請求項１に記載の方法。
【請求項７】
前記第１の最大電力は、前記第１の基地局へのＵＬ伝送及び前記第２の基地局へのＵＬ伝送の両方が発生し得る時間間隔において用いられる最大電力である、請求項１に記載の方法。
【請求項８】
前記第２の最大電力は、前記第１の基地局へのＵＬ伝送及び前記第２の基地局へのＵＬ伝送の一方のみが発生し得る時間間隔において用いられる最大電力である、請求項１に記載の方法。
【請求項９】
無線通信システム内の無線機器であって、
前記無線機器は、
メモリと、
ＲＦ（ｒａｄｉｏ  ｆｒｅｑｕｅｎｃｙ）部と、
前記メモリ及び前記ＲＦ部と作用可能に連結されるプロセッサと
を備え、
前記無線機器は、
第１の最大電力及び第２の最大電力に関連する情報を受信することと、
第１の基地局への上向きリンク（ＵＬ）伝送が第２の基地局へのＵＬ伝送と重なり得るか否かを、ＴＤＤ（ｔｉｍｅ  ｄｉｖｉｓｉｏｎ  ｄｕｐｌｅｘ）構成に基づいて決定することと、
前記第１の基地局へのＵＬ伝送が前記第２の基地局へのＵＬ伝送と重なり得るという決定に基づいて、前記第１の最大電力に基づいて前記第２の基地局に対する伝送電力を決定することと、
前記第１の基地局へのＵＬ伝送が前記第２の基地局へのＵＬ伝送と重なり得ないという決定に基づいて、前記第２の最大電力に基づいて前記第２の基地局に対する伝送電力を決定することと、
前記第２の基地局に対する前記決定された伝送電力に基づいて、前記第２の基地局へのＵＬ伝送を実行することと
を実行するように構成されており、
前記無線機器は、前記第１の基地局及び前記第２の基地局の両方に二重連結で連結されている、無線機器。
【請求項１０】
前記第１の基地局へのＵＬ伝送が前記第２の基地局へのＵＬ伝送と重なり得るか否かは、前記第１の基地局の時間間隔において決定される、請求項９に記載の無線機器。
【請求項１１】
前記第１の基地局の前記時間間隔は、前記第２の基地局の時間間隔と時間的に重なる、請求項１０に記載の無線機器。
【請求項１２】
前記第２の基地局の前記時間間隔は、サブフレームである、請求項１１に記載の無線機器。
【請求項１３】
前記第１の基地局の前記時間間隔は、前記ＴＤＤ構成に基づいたＵＬ時間間隔として指示される、請求項１１に記載の無線機器。
【請求項１４】
前記第１の最大伝送電力は、前記第２の最大伝送電力よりも低い、請求項９に記載の無線機器。
【発明の詳細な説明】
【技術分野】
【０００１】
本発明は、無線通信に関し、より詳細には、無線通信システムにおける上向きリンク電力を制御する方法及び装置に関する。
【背景技術】
【０００２】
ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）は、ヨーロッパシステム（Ｅｕｒｏｐｅａｎ  ｓｙｓｔｅｍ）、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）、及びＧＰＲＳ（ｇｅｎｅｒａｌ  ｐａｃｋｅｔ  ｒａｄｉｏ  ｓｅｒｖｉｃｅｓ）に基づいてＷＣＭＤＡ（ｗｉｄｅｂａｎｄ  ｃｏｄｅ  ｄｉｖｉｓｉｏｎ  ｍｕｌｔｉｐｌｅ  ａｃｃｅｓｓ）で動作する３世代（３ｒｄ  ｇｅｎｅｒａｔｉｏｎ）非同期（ａｓｙｎｃｈｒｏｎｏｕｓ）移動通信システムである。ＵＭＴＳのＬＴＥ（ｌｏｎｇ−ｔｅｒｍ  ｅｖｏｌｕｔｉｏｎ）がＵＭＴＳを標準化する３ＧＰＰ（３ｒｄ  ｇｅｎｅｒａｔｉｏｎ  ｐａｒｔｎｅｒｓｈｉｐ  ｐｒｏｊｅｃｔ）により議論中である。
【０００３】
３ＧＰＰ  ＬＴＥは、高速パケット通信を可能にするための技術である。ＬＴＥ目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インタフェース及び端末の適切な電力消費を要求する。
【０００４】
サービスのユーザ要求に対する容量を増加させるために、帯域幅を増加させることが重要でありうる。破片化された小さな帯域を効果的に使用するために、搬送波集合（ＣＡ：ｃａｒｒｉｅｒ  ａｇｇｒｅｇａｔｉｏｎ）または資源集合が開発されてきた。これは、イントラ−ノード（ｉｎｔｒａ−ｎｏｄｅ）搬送波上またはインタ−ノード（ｉｎｔｅｒ−ｎｏｄｅ）搬送波上に周波数領域内の物理的に連続的でない複数の帯域をグルーピングし、あたかも論理的により広い帯域が使用されるような効果を得ることを目標とする。搬送波集合によりグルーピングされる個別単位の搬送波を構成搬送波（ＣＣ；ｃｏｍｐｏｎｅｎｔ  ｃａｒｒｉｅｒ）という。インタ−ノード資源集合で各ノードに対して搬送波グループ（ＣＧ；ｃａｒｒｉｅｒ  ｇｒｏｕｐ）が設定され得るし、１つのＣＧは、複数のＣＣを有することができる。各ＣＣは、単一帯域幅と中心周波数とに定義される。
【０００５】
ＬＴＥ  Ｒｅｌ−１２において、二重連結（ｄｕａｌ  ｃｏｎｎｅｃｔｉｖｉｔｙ）が支援されるスモールセル向上（ｓｍａｌｌ  ｃｅｌｌ  ｅｎｈａｎｃｅｍｅｎｔ）に対する新しい議論が始まった。二重連結は、ＲＲＣ＿ＣＯＮＮＥＣＴＥＤ状態の与えられた端末が非理想的なバックホール（ｂａｃｋｈａｕｌ）で連結された少なくとも２つの互いに異なるネットワーク地点（マスタｅＮＢ（ＭｅＮＢ）及びセコンダリｅＮＢ（ＳｅＮＢ））から提供される無線資源を消費する動作である。さらに、端末のための二重連結に関与する各ｅＮＢは、他の役割を仮定することができる。その役割は、ｅＮＢの電力等級に依存する必要がないし、端末間に異なり得る。
【０００６】
上向きリンク電力制御は、物理チャネルが伝送されるＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）シンボル上の平均電力を決定する。上向きリンク電力制御は、互いに異なる上向きリンク物理チャネルの伝送電力を制御する。ＣＡまたは二重連結のための効率的な上向きリンク電力制御方法が要求され得る。
【発明の概要】
【発明が解決しようとする課題】
【０００７】
本発明は、無線通信システムにおける上向きリンク電力を制御する方法及び装置を提供する。本発明は、ＵＥ（ｕｓｅｒ  ｅｑｕｉｐｍｅｎｔ）が上向きリンク信号を第１のｅＮＢ（ｅＮｏｄｅＢ）にのみ伝送できる第１の上向きリンクサブフレーム集合のための第１の最大電力及び前記ＵＥが上向きリンク信号を前記第１のｅＮＢ及び第２のｅＮＢに伝送できる第２の上向きリンクサブフレーム集合のための第２の最大電力を設定する方法を提供する。
【課題を解決するための手段】
【０００８】
一態様において、無線通信システムにおける端末（ＵＥ；ｕｓｅｒ  ｅｑｕｉｐｍｅｎｔ）による上向きリンク電力を制御する方法が提供される。前記方法は、ＵＥが第１のｅＮＢ（ｅＮｏｄｅＢ）に伝送される上向きリンク信号に第１の最大電力まで割り当てることができる第１の上向きリンクサブフレーム集合に対して、前記第１の最大電力を設定し、前記ＵＥが前記第１のｅＮＢに伝送される上向きリンク信号に第２の最大電力まで割り当てることができる第２の上向きリンクサブフレーム集合に対して、前記第２の最大電力を設定し、及び前記第１の最大電力または前記第２の最大電力のうち、少なくとも１つに基づいて前記上向きリンク信号を伝送することを含む。
【０００９】
他の態様において、無線通信システムにおける端末（ＵＥ；ｕｓｅｒ  ｅｑｕｉｐｍｅｎｔ）による上向きリンク電力を制御する方法が提供される。前記方法は、経路損失の変更を検出した後、パワーヘッドルーム報告（ＰＨＲ；ｐｏｗｅｒ  ｈｅａｄｒｏｏｍ  ｒｅｐｏｒｔ）をトリガし、搬送波グループ別に最大電力を計算し、及び前記トリガされたＰＨＲを伝送することを含む。
本発明は、例えば、以下を提供する。
（項目１）
無線通信システムにおける端末（ＵＥ；ｕｓｅｒ  ｅｑｕｉｐｍｅｎｔ）による上向きリンク電力を制御する方法であって、
ＵＥが第１のｅＮＢ（ｅＮｏｄｅＢ）に伝送される上向きリンク信号に第１の最大電力まで割り当てることができる第１の上向きリンクサブフレーム集合に対して、前記第１の最大電力を設定し、
前記ＵＥが前記第１のｅＮＢに伝送される上向きリンク信号に第２の最大電力まで割り当てることができる第２の上向きリンクサブフレーム集合に対して、前記第２の最大電力を設定し、及び
前記第１の最大電力または前記第２の最大電力のうち、少なくとも１つに基づいて前記上向きリンク信号を伝送することを含む方法。
（項目２）
前記上向きリンク信号は、前記第１の上向きリンクサブフレーム集合で前記第１のｅＮＢにのみ伝送されることを特徴とする項目１に記載の方法。
（項目３）
前記上向きリンク信号は、前記第２の上向きリンクサブフレーム集合で前記第１のｅＮＢ及び第２のｅＮＢに伝送されることを特徴とする項目１に記載の方法。
（項目４）
前記第１の最大電力及び前記第２の最大電力は、ネットワークにより構成されることを特徴とする項目１に記載の方法。
（項目５）
前記上向きリンク信号のための上向きリンク電力は、どのセルがサービングセルであるか、ＰＵＣＣＨ（ｐｈｙｓｉｃａｌ  ｕｐｌｉｎｋ  ｃｏｎｔｒｏｌ  ｃｈａｎｎｅｌ）またはＰＵＳＣＨ（ｐｈｙｓｉｃａｌ  ｕｐｌｉｎｋ  ｓｈａｒｅｄ  ｃｈａｎｎｅｌ）が他のセルに伝送されるか否か、またはＰＵＣＣＨ同時伝送が前記サービングセルに対して構成されるか否かのうち、少なくとも１つによって決定されることを特徴とする項目１に記載の方法。
（項目６）
前記上向きリンク信号に対する上向きリンク電力は、スケーリング因子に基づいて決定されることを特徴とする項目１に記載の方法。
（項目７）
前記第１の上向きリンクサブフレーム集合がどこに位置するかを指示するビットマップを上位階層を介して伝送することをさらに含む項目１に記載の方法。
（項目８）
前記第１のｅＮＢ及び前記第２のｅＮＢ間のサブフレーム境界のオフセットを伝送することをさらに含む項目１に記載の方法。
（項目９）
前記第１のｅＮＢ及び前記第２のｅＮＢ間のサブフレーム境界のオフセットをネットワークから受信することをさらに含む項目１に記載の方法。
（項目１０）
前記第１のｅＮＢまたは前記第２のｅＮＢのうち、いずれか１つは、ＦＤＤ（ｆｒｅｑｕｅｎｃｙ  ｄｉｖｉｓｉｏｎ  ｄｕｐｌｅｘ）方式を導入し、
他の１つは、ＴＤＤ（ｔｉｍｅ  ｄｉｖｉｓｉｏｎ  ｄｕｐｌｅｘ）方式を導入することを特徴とする項目１に記載の方法。
（項目１１）
前記第１のｅＮＢは、複数の構成搬送波（ＣＣ；ｃｏｍｐｏｎｅｎｔ  ｃａｒｒｉｅｒ）を有し、
前記第２のｅＮＢは、複数のＣＣを有することを特徴とする項目１に記載の方法。
（項目１２）
無線通信システムにおける端末（ＵＥ；ｕｓｅｒ  ｅｑｕｉｐｍｅｎｔ）による上向きリンク電力を制御する方法であって、
経路損失の変更を検出した後、パワーヘッドルーム報告（ＰＨＲ；ｐｏｗｅｒ  ｈｅａｄｒｏｏｍ  ｒｅｐｏｒｔ）をトリガし、
搬送波グループ別に最大電力を計算し、及び
前記トリガされたＰＨＲを伝送することを含む方法。
（項目１３）
前記搬送波グループ別の最大電力は、搬送波グループ別に構成された搬送波の個数、前記経路損失、または搬送波グループ別マージン（ｍａｒｇｉｎ）のうち、少なくとも１つに基づいて計算されることを特徴とする項目１２に記載の方法。
（項目１４）
前記搬送波グループ別マージンは、ネットワークにより構成されるか、前記ＵＥにより決定されることを特徴とする項目１３に記載の方法。
（項目１５）
前記トリガされたＰＨＲは、ランダムアクセス手順のうち、メッセージ３を介して伝送されることを特徴とする項目１２に記載の方法。
【発明の効果】
【００１０】
上向きリンク電力が効率的に制御され得る。
【図面の簡単な説明】
【００１１】
【図１】図１は、無線通信システムを示す。
【００１２】
【図２】図２は、３ＧＰＰ  ＬＴＥの無線フレームの構造を示す。
【００１３】
【図３】図３は、１つのＤＬスロットに対する資源グリッド（ｒｅｓｏｕｒｃｅ  ｇｒｉｄ）を示す。
【００１４】
【図４】図４は、ＤＬサブフレームの構造を示す。
【００１５】
【図５】図５は、ＵＬサブフレームの構造を示す。
【００１６】
【図６】図６は、３ＧＰＰ  ＬＴＥ−Ａの搬送波集合の例を見せる。
【００１７】
【図７】図７は、大型セル及び小型セルへの二重連結の例を見せる。
【００１８】
【図８】図８は、システムフレーム番号（ｓｙｓｔｅｍ  ｆｒａｍｅ  ｎｕｍｂｅｒ：ＳＦＮ）境界の誤った整列またはスロット／サブフレーム番号の誤った整列の例を見せる。
【００１９】
【図９】図９は、非同期ＵＬ伝送の例を見せる。
【００２０】
【図１０】図１０は、本発明の一実施形態に係る上向きリンクパワーを制御するための方法の例を見せる。
【００２１】
【図１１】図１１は、本発明の一実施形態に係る上向きリンクパワーを制御するための方法のさらに他の例を見せる。
【００２２】
【図１２】図１２は、本発明の一実施形態によってｅＮＢに対する互いに異なる上向きリンクサブフレーム集合及び互いに異なる最大パワーを設定することの例を見せる。
【００２３】
【図１３】図１３は、本発明の一実施形態によって上向きリンクパワーを制御するための方法のさらに他の例を見せる。
【００２４】
【図１４】図１４は、特別なサブフレームでのパワー制御問題の一例を見せる。
【００２５】
【図１５】図１５は、本発明の実施形態が実現される無線通信システムのブロック図である。
【発明を実施するための形態】
【００２６】
以下において説明される技術、装置、及びシステムは、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような種々の無線通信システムに使用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）やＣＤＭＡ２０００のような無線技術（ｒａｄｉｏ  ｔｅｃｈｎｏｌｏｇｙ）として実現されることができる。ＴＤＭＡは、ＧＳＭ（登録商標）（ｇｌｏｂａｌ  ｓｙｓｔｅｍ  ｆｏｒ  ｍｏｂｉｌｅ  ｃｏｍｍｕｎｉｃａｔｉｏｎｓ）／ＧＰＲＳ（ｇｅｎｅｒａｌ  ｐａｃｋｅｔ  ｒａｄｉｏ  ｓｅｒｖｉｃｅ）／ＥＤＧＥ（ｅｎｈａｎｃｅｄ  ｄａｔａ  ｒａｔｅｓ  ｆｏｒ  ＧＳＭ（登録商標）  ｅｖｏｌｕｔｉｏｎ）のような無線技術として実現されることができる。ＯＦＤＭＡは、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ）８０２．１１（Ｗｉ−Ｆｉ）、ＩＥＥＥ８０２．１６（ＷｉＭＡＸ）、ＩＥＥＥ８０２−２０、Ｅ−ＵＴＲＡ（ｅｖｏｌｖｅｄ  ＵＴＲＡ）などのような無線技術として実現されることができる。ＵＴＲＡは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）の一部である。３ＧＰＰ（３ｒｄ  ｇｅｎｅｒａｔｉｏｎ  ｐａｒｔｎｅｒｓｈｉｐ  ｐｒｏｊｅｃｔ）  ＬＴＥ（ｌｏｎｇ  ｔｅｒｍ  ｅｖｏｌｕｔｉｏｎ）は、Ｅ−ＵＴＲＡ（ｅｖｏｌｖｅｄ−ＵＭＴＳ  ｔｅｒｒｅｓｔｒｉａｌ  ｒａｄｉｏ  ａｃｃｅｓｓ）を使用するＥ−ＵＭＴＳ（ｅｖｏｌｖｅｄ  ＵＭＴＳ）の一部であって、下向きリンクでＯＦＤＭＡを採用し、上向きリンクでＳＣ−ＦＤＭＡを採用する。ＬＴＥ−Ａ（ａｄｖａｎｃｅｄ）は、３ＧＰＰ  ＬＴＥの進化である。説明を明確にするために、本明細書は、３ＧＰＰ  ＬＴＥ／ＬＴＥ−Ａに焦点を合わせる。しかし、本発明の技術的特徴がこれに制限されるものではない。
【００２７】
図１は、無線通信システムを示す。無線通信システム１０は、少なくとも１つの基地局（１１；ＢＳ；ｂａｓｅ  ｓｔａｔｉｏｎ）を含む。各ＢＳ（１１）は、特定の地理的領域（一般に、セルという）１５ａ、１５ｂ、１５ｃに対して通信サービスを提供する。各セルは、さらに複数の領域（セクタともいう）に分けられることができる。端末（１２；ＵＥ；ｕｓｅｒ  ｅｑｕｉｐｍｅｎｔ）は、固定されるか、移動性を有することができ、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語として呼ばれることができる。ＢＳ（１１）は、一般に、ＵＥ（１２）と通信する固定された地点をいい、ｅＮＢ（ｅｖｏｌｖｅｄ−ＮｏｄｅＢ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語として呼ばれることができる。
【００２８】
ＵＥは、通常１つのセルに属するが、ＵＥが属したセルをサービングセル（ｓｅｒｖｉｎｇ  ｃｅｌｌ）という。サービングセルに対して通信サービスを提供するＢＳをサービングＢＳという。無線通信システムは、セルラーシステムであるから、サービングセルに隣接する他のセルが存在する。サービングセルに隣接する他のセルを隣接セル（ｎｅｉｇｈｂｏｒ  ｃｅｌｌ）という。隣接セルに対して通信サービスを提供するＢＳを隣接ＢＳという。サービングセル及び隣接セルは、ＵＥを基準として相対的に決定される。
【００２９】
この技術は、下向きリンク（ＤＬ；ｄｏｗｎｌｉｎｋ）または上向きリンク（ＵＬ；ｕｐｌｉｎｋ）に使用されることができる。一般に、ＤＬは、ＢＳ（１１）からＵＥ（１２）への通信を意味し、ＵＬは、ＵＥ（１２）からＢＳ（１１）への通信を意味する。ＤＬにおいて送信機は、ＢＳ（１１）の一部であり、受信機は、ＵＥ（１２）の一部でありうる。ＵＬにおいて送信機は、ＵＥ（１２）の一部であり、受信機は、ＢＳ（１１）の一部でありうる。
【００３０】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうち、いずれか１つでありうる。ＭＩＭＯシステムは、複数の伝送アンテナと複数の受信アンテナとを使用する。ＭＩＳＯシステムは、複数の伝送アンテナと１つの受信アンテナとを使用する。ＳＩＳＯシステムは、１つの伝送アンテナと１つの受信アンテナとを使用する。ＳＩＭＯシステムは、１つの伝送アンテナと複数の受信アンテナとを使用する。以下において伝送アンテナは、１つの信号またはストリームを伝送するのに使用される物理的または論理的アンテナを意味し、受信アンテナは、１つの信号またはストリームを受信するのに使用される物理的または論理的アンテナを意味する。
【００３１】
図２は、３ＧＰＰ  ＬＴＥの無線フレームの構造を示す。図２に示すように、無線フレームは、１０個のサブフレームを含む。サブフレームは、時間領域で２個のスロットを含む。１つのサブフレームを伝送するのにかかる時間は、ＴＴＩ（ｔｒａｎｓｍｉｓｓｉｏｎ  ｔｉｍｅ  ｉｎｔｅｒｖａｌ）として定義される。例えば、１つのサブフレームの長さは１ｍｓでありうるし、１つのスロットの長さは０．５ｍｓでありうる。１つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥがＤＬでＯＦＤＭＡを使用するので、ＯＦＤＭシンボルは、１つのシンボル区間を表現するためのものである。ＯＦＤＭシンボルは、多重接続方式によって他の名称と呼ばれることができる。例えば、ＵＬ多重接続方式としてＳＣ−ＦＤＭＡが使用される場合、ＳＣ−ＦＤＭＡシンボルということができる。資源ブロック（ＲＢ；ｒｅｓｏｕｒｃｅ  ｂｌｏｃｋ）は、資源割当単位であって、１つのスロットで複数の連続する副搬送波を含む。前記無線フレームの構造は、一例に過ぎないものである。したがって、無線フレームに含まれるサブフレームの個数やサブフレームに含まれるスロットの個数、またはスロットに含まれるＯＦＤＭシンボルの個数は様々に変更され得る。
【００３２】
３ＧＰＰ  ＬＴＥは、１つのスロットが一般ＣＰ（ｃｙｃｌｉｃ  ｐｒｅｆｉｘ）で７ＯＦＤＭシンボルを含み、拡張ＣＰで６ＯＦＤＭシンボルを含むことと定義する。
【００３３】
無線通信システムは、大きくＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けることができる。ＦＤＤ方式によれば、ＵＬ伝送とＤＬ伝送とが互いに異なる周波数帯域を占めながらなされる。ＴＤＤ方式によれば、ＵＬ伝送とＤＬ伝送とが同じ周波数帯域を占めながら互いに異なる時間になされる。ＴＤＤ方式のチャネル応答は、実質的に相互的（ｒｅｃｉｐｒｏｃａｌ）である。これは、与えられた周波数領域でＤＬチャネル応答とＵＬチャネル応答とがほとんど同一であるということである。したがって、ＴＤＤに基づいた無線通信システムにおいてＤＬチャネル応答は、ＵＬチャネル応答から得られることができるという長所がある。ＴＤＤ方式は、全体周波数帯域をＵＬ伝送とＤＬ伝送とに時分割するので、ＢＳによるＤＬ伝送とＵＥによるＵＬ伝送とが同時に行われ得ない。ＵＬ伝送とＤＬ伝送とがサブフレーム単位に区分されるＴＤＤシステムにおいて、ＵＬ伝送とＤＬ伝送とは、互いに異なるサブフレームで行われる。
【００３４】
フレーム構造タイプ１は、完全デュプレックス（ｆｕｌｌ  ｄｕｐｌｅｘ）及び半デュプレックス（ｈａｌｆ−ｄｕｐｌｅｘ）ＦＤＤの両方に適用することができる。それぞれの無線フレームは、Ｔｆ＝３０７２００×Ｔｓ＝１０ｍｓの長さを有し、Ｔｓｌｏｔ＝１５３６０×Ｔｓ＝０．５ｍｓ長さの２０個スロットで構成され、これらは、０から１９までの番号を有する。サブフレームは、サブフレームｉがスロット２ｉ及び２ｉ＋１で構成される２つの連続されるスロットとして定義される。
【００３５】
ＦＤＤに対し、それぞれの１０ｍｓ間隔で１０個のサブフレームが下向きリンク伝送のために使用可能であり、１０個のサブフレームが上向きリンク伝送のために使用可能である。上向きリンク及び下向きリンク伝送は、周波数ドメイン内で分離される。半デュプレックスＦＤＤ動作において、ＵＥは、同時に伝送と受信をすることができず、それに対し、完全デュプレックスＦＤＤにはこのような制限がない。
【００３６】
フレーム構造タイプ２は、ＴＤＤに適用することができる。長さがＴｆ＝３０７２００×Ｔｓ＝１０ｍｓであるそれぞれの無線フレームは、長さが各々１５３６００×Ｔｓ＝５ｍｓである２つのハーフフレームで構成される。各ハーフフレームは、３０７２０×Ｔｓ＝１ｍｓの長さを有する５個のサブフレームで構成される。支援される上向きリンク−下向きリンク構成が表１に列挙されている。
【００３７】
【表１】
2020043601.tif 000003
【００３８】
表１において、無線フレーム内の各サブフレームに対して、「Ｄ」は、サブフレームが下向きリンク伝送のために留保されたことを表し、「Ｕ」は、サブフレームが上向きリンク伝送のために留保されたことを表し、「Ｓ」は、下向きリンクパイロット時間スロット（ｄｏｗｎｌｉｎｋ  ｐｉｌｏｔ  ｔｉｍｅ  ｓｌｏｔ：ＤｗＰＴＳ）、保護周期（ｇｕａｒｄ  ｐｅｒｉｏｄ：ＧＰ）、及び上向きリンクパイロット時間スロット（ｕｐｌｉｎｋ  ｐｉｌｏｔ  ｔｉｍｅ  ｓｌｏｔ：ＵｐＰＴＳ）の３個のフィールドを有する特別なサブフレームを表す。それぞれのサブフレームｉは、各サブフレームで長さがＴｓｌｏｔ＝１５３６０×Ｔｓ＝０．５ｍｓである２つのスロット、２ｉ及び２ｉ＋１として定義される。
【００３９】
５ｍｓ及び１０ｍｓの両方の下向きリンクから上向きリンクへの切替ポイント周期性（ｓｗｉｔｃｈ−ｐｏｉｎｔ  ｐｅｒｉｏｄｉｃｉｔｙ）を有する上向きリンク−下向きリンク構成が支援される。５ｍｓの下向きリンクから上向きリンクへの切替ポイント周期性の場合、前記特別なサブフレームが２つのハーフフレームに存在する。１０ｍｓの下向きリンクから上向きリンクへの切替ポイント周期性の場合、前記特別なサブフレームが１番目のハーフフレームにのみ存在する。サブフレーム０と５及びＤｗＰＴＳは、いつも下向きリンク伝送のために留保される。ＵｐＰＴＳ及び前記特別なサブフレームに直ちに繋がるサブフレームは、いつも上向きリンク伝送のために留保される。
【００４０】
多重のセルが集合される場合、ＵＥは、互いに異なるセル内で前記特別なサブフレームの保護周期が少なくとも１４５６×Ｔｓの重ねを有すると仮定することができる。互いに異なる上向きリンク−下向きリンク構成を有する多重のセルが集合され、ＵＥが、集合されたセル内で同時受信及び伝送を行うことができない場合、次のような制限が適用される：
【００４１】
・１次セル内のサブフレームが下向きリンクサブフレームである場合、ＵＥは、同じサブフレーム内の２次セル上でいかなる信号やチャネルも伝送しないべきであろう
【００４２】
・１次セル内のサブフレームが上向きリンクサブフレームである場合、ＵＥは、同じサブフレーム内の２次セル上でいかなる下向きリンク伝送も期待しない
【００４３】
・１次セル内のサブフレームが特別なサブフレームであり、２次セル内の同じサブフレームが下向きリンクサブフレームである場合、ＵＥは、同じサブフレーム内の２次セル内で物理的下向きリンク共有チャネル（ｐｈｙｓｉｃａｌ  ｄｏｗｎｌｉｎｋ  ｓｈａｒｅｄ  ｃｈａｎｎｅｌ：ＰＤＳＣＨ）／向上した物理的下向きリンク制御チャネル（ｅｎｈａｎｃｅｄ  ｐｈｙｓｉｃａｌ  ｄｏｗｎｌｉｎｋ  ｃｏｎｔｒｏｌ  ｃｈａｎｎｅｌ：ＥＰＤＣＣＨ）／物理的マルチキャストチャネル（ｐｈｙｓｉｃａｌ  ｍｕｌｔｉｃａｓｔ  ｃｈａｎｎｅｌ：ＰＭＣＨ）／位置設定基準信号（ｐｏｓｉｔｉｏｎｉｎｇ  ｒｅｆｅｒｅｎｃｅ  ｓｉｇｎａｌ：ＰＲＳ）伝送を受信することを期待せず、前記ＵＥは、保護周期または１次セル内のＵｐＰＴＳと重なるＯＦＤＭシンボル内の２次セル上でいかなる他の信号の受信も期待しない。
【００４４】
図３は、１つのＤＬスロットに対する資源グリッド（ｒｅｓｏｕｒｃｅ  ｇｒｉｄ）を示す。図３に示すように、ＤＬスロットは、時間領域で複数のＯＦＤＭシンボルを含む。ここで、１つのＤＬスロットは、７ＯＦＤＭシンボルを含み、１つのＲＢは、周波数領域で１２副搬送波を含むことを例示的に記述するが、これに制限されるものではない。資源グリッド上の各要素を資源要素（ｒｅｓｏｕｒｃｅ  ｅｌｅｍｅｎｔ）という。１つのＲＢは、７×１２資源要素を含む。ＤＬスロットに含まれる資源ブロックの数（ＮＤＬ）は、ＤＬ伝送帯域幅に従属する。ＵＬスロットの構造もＤＬスロットの構造と同様でありうる。
【００４５】
ＯＦＤＭシンボルの数と副搬送波の数とは、ＣＰの長さ、周波数間隔などによって様々に変更され得る。例えば、ノーマルＣＰの場合、ＯＦＤＭシンボルの数は７であり、拡張ＣＰの場合、ＯＦＤＭシンボルの数は６である。１つのＯＦＤＭシンボルで副搬送波の数は、１２８，２５６，５１２，１０２４，１５３６及び２０４８のうち、１つを選定して使用することができる。
【００４６】
図４は、ＤＬサブフレームの構造を示す。図４に示すように、サブフレーム内の１番目のスロットの先行の最大３ＯＦＤＭシンボルは、制御チャネルが割り当てられる制御領域である。残りのＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域に対応する。３ＧＰＰ  ＬＴＥで使用されるＤＬ制御チャネルの例示として、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（ｐｈｙｓｉｃａｌ  ｄｏｗｎｌｉｎｋ  ｃｏｎｔｒｏｌ  ｃｈａｎｎｅｌ）、ＰＨＩＣＨ（ｐｈｙｓｉｃａｌ  ＨＡＲＱ  ｉｎｄｉｃａｔｏｒ  ｃｈａｎｎｅｌ）などを含む。ＰＣＦＩＣＨは、サブフレームの１番目のＯＦＤＭシンボルで伝送され、サブフレーム内で制御チャネルの伝送に使用されるＯＦＤＭシンボルの個数と関連した情報を運ぶ。ＰＨＩＣＨは、ＵＬ伝送に対する応答であり、ＨＡＲＱ（ｈｙｂｒｉｄ  ａｕｔｏｍａｔｉｃ  ｒｅｐｅａｔ  ｒｅｑｕｅｓｔ）ＡＣＫ／ＮＡＣＫ（ａｃｋｎｏｗｌｅｄｇｅｍｅｎｔ／ｎｏｎ−ａｃｋｎｏｗｌｅｄｇｅｍｅｎｔ）信号を運ぶ。ＰＤＣＣＨを介して伝送される制御情報は、ＤＣＩ（ｄｏｗｎｌｉｎｋ  ｃｏｎｔｒｏｌ  ｉｎｆｏｒｍａｔｉｏｎ）である。ＤＣＩは、ＵＬまたはＤＬスケジューリング情報、若しくは任意のＵＥグループのためのＵＬ伝送電力制御（ＴＰＣ；ｔｒａｎｓｍｉｔ  ｐｏｗｅｒ  ｃｏｎｔｒｏｌ）命令を含む。
【００４７】
ＰＤＣＣＨは、ＤＬ−ＳＣＨ（ｄｏｗｎｌｉｎｋ−ｓｈａｒｅｄ  ｃｈａｎｎｅｌ）の資源割当及び伝送フォーマット、ＵＬ−ＳＣＨ（ｕｐｌｉｎｋ  ｓｈａｒｅｄ  ｃｈａｎｎｅｌ）の資源割当情報、ページングチャネル上のページング情報、ＤＬ−ＳＣＨ上のシステム情報、ＰＤＳＣＨ上に伝送されるランダムアクセス応答のような上位階層制御メッセージの資源割当、任意のＵＥグループ内の個別ＵＥに対するＴＰＣ命令の集合、及びＶｏＩＰ（ｖｏｉｃｅ  ｏｖｅｒ  ｉｎｔｅｒｎｅｔ  ｐｒｏｔｏｃｏｌ）の活性化などを運ぶことができる。複数のＰＤＣＣＨが制御領域内で伝送され得る。ＵＥは、複数のＰＤＣＣＨをモニタリングすることができる。ＰＤＣＣＨは、１つまたはいくつかの連続的なＣＣＥ（ｃｏｎｔｒｏｌ  ｃｈａｎｎｅｌ  ｅｌｅｍｅｎｔｓ）の集合（ａｇｇｒｅｇａｔｉｏｎ）上に伝送される。ＣＣＥは、無線チャネルの状態に応じた符号化率を有するＰＤＣＣＨを提供するために使用される論理的割当単位である。ＣＣＥは、複数のＲＥＧ（ｒｅｓｏｕｒｃｅ  ｅｌｅｍｅｎｔ  ｇｒｏｕｐ）に対応する。
【００４８】
ＣＣＥの数とＣＣＥ等により提供される符号化率の連関関係によってＰＤＣＣＨのフォーマット及び可能なＰＤＣＣＨのビット数が決定される。ＢＳは、ＵＥに伝送しようとするＤＣＩによってＰＤＣＣＨフォーマットを決定し、制御情報にＣＲＣ（ｃｙｃｌｉｃ  ｒｅｄｕｎｄａｎｃｙ  ｃｈｅｃｋ）を付ける。ＣＲＣは、ＰＤＣＣＨの所有者（ｏｗｎｅｒ）や用途によって固有な識別子（ＲＮＴＩ；ｒａｄｉｏ  ｎｅｔｗｏｒｋ  ｔｅｍｐｏｒａｒｙ  ｉｄｅｎｔｉｆｉｅｒ）でマスキングされる。特定ＵＥのためのＰＤＣＣＨであれば、ＵＥの固有識別子、例えば、Ｃ−ＲＮＴＩ（ｃｅｌｌ−ＲＮＴＩ）がＣＲＣにマスキングされ得る。または、ページングメッセージのためのＰＤＣＣＨであれば、ページング指示識別子、例えば、Ｐ−ＲＮＴＩ（ｐａｇｉｎｇ−ＲＮＴＩ）がＣＲＣにマスキングされ得る。システム情報のためのＰＤＣＣＨであれば、ＳＩ−ＲＮＴＩ（ｓｙｓｔｅｍ  ｉｎｆｏｒｍａｔｉｏｎ−ＲＮＴＩ）がＣＲＣにマスキングされ得る。ＵＥのランダムアクセスプリアンブルの伝送に対する応答であるランダムアクセス応答を指示するために、ＲＡ−ＲＮＴＩ（ｒａｎｄｏｍ  ａｃｃｅｓｓ−ＲＮＴＩ）がＣＲＣにマスキングされ得る。
【００４９】
図５は、ＵＬサブフレームの構造を示す。図５に示すように、ＵＬサブフレームは、周波数領域で制御領域とデータ領域とに分けられることができる。制御領域は、ＵＬ制御情報が伝送されるためのＰＵＣＣＨ（ｐｈｙｓｉｃａｌ  ｕｐｌｉｎｋ  ｃｏｎｔｒｏｌ  ｃｈａｎｎｅｌ）が割り当てられる。データ領域は、ユーザデータが伝送されるためのＰＵＳＣＨ（ｐｈｙｓｉｃａｌ  ｕｐｌｉｎｋ  ｓｈａｒｅｄ  ｃｈａｎｎｅｌ）が割り当てられる。上位階層で指示される場合、ＵＥは、ＰＵＳＣＨとＰＵＣＣＨの同時伝送を支援することができる。１つのＵＥに対するＰＵＣＣＨは、サブフレームで資源ブロックペア（ＲＢ  ｐａｉｒ）に割り当てられる。ＲＢペアに属する資源ブロックは、第１ののスロットと第２ののスロットとの各々で互いに異なる副搬送波を占める。これをＰＵＣＣＨに割り当てられるＲＢペアが、スロット境界で周波数がホッピング（ｆｒｅｑｕｅｎｃｙ−ｈｏｐｐｅｄ）されたという。ＵＥは、時間に応じてＵＬ制御情報を互いに異なる副搬送波を介して伝送することにより、周波数ダイバーシティ利得を得ることができる。
【００５０】
ＰＵＣＣＨ上に伝送されるＵＬ制御情報は、ＨＡＲＱ  ＡＣＫ／ＮＡＣＫ、ＤＬチャネル状態を表すＣＱＩ（ｃｈａｎｎｅｌ  ｑｕａｌｉｔｙ  ｉｎｄｉｃａｔｏｒ）、ＵＬ無線資源割当要請であるＳＲ（ｓｃｈｅｄｕｌｉｎｇ  ｒｅｑｕｅｓｔ）などを含むことができる。
【００５１】
ＰＵＳＣＨは、伝送チャネルであるＵＬ−ＳＣＨにマッピングされる。ＰＵＳＣＨ上に伝送されるＵＬデータは、ＴＴＩの間に伝送されるＵＬ−ＳＣＨのためのデータブロックである伝送ブロックでありうる。伝送ブロックは、ユーザ情報でありうる。または、ＵＬデータは、多重化された（ｍｕｌｔｉｐｌｅｘｅｄ）データでありうる。多重化されたデータは、ＵＬ−ＳＣＨのための伝送ブロックと制御情報とが多重化して得られたデータでありうる。例えば、データに多重化される制御情報は、ＣＱＩ、ＰＭＩ（ｐｒｅｃｏｄｉｎｇ  ｍａｔｒｉｘ  ｉｎｄｉｃａｔｏｒ）、ＨＡＲＱ、ＲＩ（ｒａｎｋ  ｉｎｄｉｃａｔｏｒ）などを含むことができる。または、ＵＬデータは、制御情報のみで構成されることもできる。
【００５２】
搬送波集合（Ｃａｒｒｉｅｒ  ａｇｇｒｅｇａｔｉｏｎ：ＣＡ）が記述される。これは、３ＧＰＰ  ＴＳ  ３６．３００  Ｖ１１．６．０の第５．５節を参照することができる（２０１３−０６）。
【００５３】
ＣＡにおいて、２つまたはそれ以上の構成搬送波（ｃｏｍｐｏｎｅｎｔ  ｃａｒｒｉｅｒ：ＣＣ）が１００ＭＨｚまたはそれ以上に達するより広い伝送帯域幅を支援するために集合される。ＵＥは、その能力によって単一または多重のＣＣを受信するか、送信することができる。ＣＡに対して単一なタイミングアドバンス（ｔｉｍｉｎｇ  ａｄｖａｎｃｅ）能力を有するＵＥは、同じタイミングアドバンスを共有する多重のサービングセル（１つのタイミングアドバンスグループ（ＴＡＧ）内でグループをなす多重のサービングセル）に該当する多重のＣＣ上で同時に受信及び／又は送信を行うことができる。ＣＡに対して多重のタイミングアドバンス能力を有するＵＥは、互いに異なるタイミングアドバンスを共有する多重のサービングセル（多重のＴＡＧ内でグループをなす多重のサービングセル）に該当する多重のＣＣ上で同時に受信及び／又は送信を行うことができる。Ｅ−ＵＴＲＡＮは、各ＴＡＧが少なくとも１つのサービングセルを含むことを保障する。ＣＡ能力を有さないＵＥは、単一ＣＣ上で受信し、１つのサービングセルにのみ該当する単一ＣＣ上で送信することができる（１つのＴＡＧに１つのサービングセル）。
【００５４】
サービングセルは、下向きリンク及び選択的に上向きリンク資源の組み合わせである。すなわち、サービングセルは、１つのＤＬ  ＣＣと１つのＵＬ  ＣＣとを含むことができる。他の方式として、サービングセルは、１つのＤＬ  ＣＣで構成されることができる。ＣＡは、複数のサービングセルを有することができる。前記複数のサービングセルは、１つの１次サービングセル（ＰＣｅｌｌ）及び少なくとも１つの２次サービングセル（ＳＣｅｌｌ）で構成されることができる。ＰＵＣＣＨ伝送、任意接近手順などは、ＰＣｅｌｌのみで行われることができる。
【００５５】
図６は、３ＧＰＰ  ＬＴＥ−Ａの搬送波集合（ｃａｒｒｉｅｒａｇｇｒｅｇａｔｉｏｎ）の例を見せる。図６に示すように、各ＣＣは、２０ＭＨｚの帯域幅を有し、これは、３ＧＰＰ  ＬＴＥの帯域幅である。５個までのＣＣまたはそれ以上が集合され得るし、したがって、最大１００ＭＨｚの帯域幅またはそれ以上が構成され得る。
【００５６】
ＣＡは、隣接及び非隣接ＣＣの全てで支援され、各ＣＣは、周波数ドメインで数秘学（ｎｕｍｅｒｏｌｏｇｙ）Ｒｅｌ−８／９を使用して最大１１０ＲＢに制限される。
【００５７】
ＵＥが、同じｅＮＢ及びＵＬ及びＤＬでの互いに異なる可能な、互いに異なる帯域幅の、互いに異な数のＣＣを集合するように構成することも可能である。構成できるＤＬ  ＣＣの個数は、ＵＥのＤＬ集合能力によって変わる。構成できるＵＬ  ＣＣの個数は、ＵＥのＵＬ集合能力によって変わる。一般的なＴＤＤ配置において、ＣＣの個数とＵＬ及びＤＬで各ＣＣの帯域幅は同一である。構成できる複数のＴＡＧは、ＵＥのＴＡＧ能力によって変わる。
【００５８】
同じｅＮＢから由来するＣＣが同じカバレッジを提供する必要はない。
【００５９】
ＣＣは、ＬＴＥ  Ｒｅｌ−８／９と互換性を有するようになるであろう。それにもかかわらず、Ｒｅｌ−８／９  ＵＥがＣＣ上に位置することを避けるために、既存のメカニズム（例えば、バーリング（ｂａｒｒｉｎｇ））が使用され得る。
【００６０】
隣接するように集合されたＣＣの中心周波数間の間隔は、３００ｋＨｚの倍数になるべきであろう。これは、Ｒｅｌ−８／９の１００ｋＨｚ周波数ラスタと互換性を有するようにし、同時に１５ｋＨｚの間隔を有する副搬送波の直交性を保存するためである。集合のシナリオによって、ｎ×３００ｋＨｚ間隔は、隣接するＣＣ間に使用されない少ない数の副搬送波を挿入することにより、さらに容易に実現されることができる。
【００６１】
ＴＤＤ  ＣＡに対して、下向きリンク／上向きリンク構成は、同じ帯域にある構成搬送波にわたって同様であり、互いに異なる帯域にある構成搬送波にわたっては同様であるか、互いに異なることができる。
【００６２】
二重連結が記述される。
【００６３】
図７は、大型セル及び小型セルへの二重連結の例を見せる。図７に示すように、ＵＥは、大型セル及び小型セルの両方に連結されている。大型セルにサービスを提供する大型セルｅＮＢは、二重連結でＭｅＮＢであり、小型セルにサービスを提供する小型セルｅＮＢは、二重連結でＳｅＮＢである。前記ＭｅＮＢは、少なくともＳ１−ＭＭＥを終結させるｅＮＢであり、したがって、二重連結でのＣＮに向かう移動性アンカとして作用する。大型ｅＮＢが存在する場合、前記大型ｅＮＢは、一般的にＭｅＮＢとして機能することができる。ＳｅＮＢは、ＵＥに対する追加的な無線資源を提供するｅＮＢであり、二重連結では、ＭｅＮＢではない。前記ＳｅＮＢは、一般的に最善の努力（ＢＥ）類型のトラフィックを伝送するように構成されることができ、それに対し、前記ＭｅＮＢは、ＶｏＩＰ、ストリーミングデータ、または信号処理データのような他の類型のトラフィックを伝送するように構成されることができる。ＭｅＮＢ及びＳｅＮＢ間のインタフェースは、Ｘｎインタフェースと呼ばれる。前記Ｘｎインタフェースは、理想的でないことと仮定され、言い替えれば、Ｘｎインタフェースでの遅延が６０ｍｓに達することができる。
【００６４】
３ＧＰＰ  ＬＴＥの現在規格による上向きリンクパワー制御が記述される。これに対しては、３ＧＰＰ  ＴＳ  ３６．２１３  Ｖ１１．３．０の第５．１節を参照することができる（２０１３−０６）。ＰＵＳＣＨに対して、伝送パワーＰ＾ＰＵＳＣＨ、ｃ（ｉ）は、まず、０でないＰＵＳＣＨ伝送を有するアンテナポートの個数に対する該当伝送体制に対して構成されたアンテナポートの個数の比により大きさが調節される。結果として、大きさが調節されたパワーは、さらにその上で前記０でないＰＵＳＣＨが伝送されるアンテナポートにわたって同一に分割される。ＰＵＣＣＨまたはサウンディング参照信号（ＳＲＳ；ｓｏｕｎｄｉｎｇ  ｒｅｆｅｒｅｎｃｅ  ｓｉｇｎａｌ）に対して、前記伝送パワーＰ＾ＰＵＣＣＨ（ｉ）またはＰ＾ＳＲＳ、ｃ（ｉ）は、ＰＵＣＣＨまたはＳＲＳに対して構成されたアンテナポートに対して同一に分割される。Ｐ＾ＳＲＳ、ｃ（ｉ）は、ＰＳＲＳ、ｃ（ｉ）の線形値である。
【００６５】
ＰＵＳＣＨに対する上向きリンクパワー制御が記述される。ＰＵＳＣＨ伝送に対するＵＥ伝送パワーの設定は、次のように定義される。ＵＥがサービングセルｃに対して同時にＰＵＣＣＨを伝送しないながらＰＵＳＣＨを伝送する場合、サービングセルｃに対するサブフレームｉでのＰＵＳＣＨ伝送に対するＵＥ伝送パワーＰＰＵＳＣＨ、ｃ（ｉ）は、数式１により与えられる。
【００６６】
＜数１＞
【数１】
2020043601.tif 000004
［ｄＢｍ］
【００６７】
前記ＵＥがサービングセルｃに対してＰＵＳＣＨをＰＵＣＣＨと同時に伝送する場合、サービングセルｃに対するサブフレームｉでのＰＵＳＣＨ伝送のためのＵＥ伝送パワーＰＰＵＳＣＨ、ｃ（ｉ）は、数式２により与えられる。
【００６８】
＜数２＞
【数２】
2020043601.tif 000005
［ｄＢｍ］
【００６９】
ＵＥがＰＵＳＣＨに対するＤＣＩ様式３／３Ａとして受信した伝送パワー制御（ＴＰＣ）命令の蓄積のために、サービングセルｃに対するＰＵＳＣＨを伝送しない場合、前記ＵＥは、サービングセルｃに対するサブフレームｉでのＰＵＳＣＨ伝送のためのＵＥ伝送パワーＰＰＵＳＣＨ、ｃ（ｉ）は、数式３により計算されることと仮定することができる。
【００７０】
＜数３＞
【数３】
2020043601.tif 000006
［ｄＢｍ］
【００７１】
前述された数式等において、ＰＣＭＡＸ、ｃ（ｉ）は、サービングセルｃに対するサブフレームｉでの構成されたＵＥ伝送パワーであり、Ｐ＾ＣＭＡＸ、ｃ（ｉ）は、ＰＣＭＡＸ、ｃ（ｉ）の線形値である。Ｐ＾ＰＵＣＣＨ（ｉ）は、下記において説明されるＰＰＵＣＣＨ（ｉ）の線形値である。ＭＰＵＳＣＨ、ｃ（ｉ）は、サブフレームｉ及びサービングセルｃに対して有効な資源ブロックの個数として表現されるＰＵＳＣＨ資源指定の帯域幅である。ＰＯ＿ＰＵＳＣＨ、ｃ（ｊ）は、サービングセルｃに対してｊ＝０及び１に対する上位階層から提供されるコンポーネントＰＯ＿ＮＯＭＩＮＡＬ＿ＰＵＳＣＨ、ｃ（ｊ）とｊ＝０及び１に対する上位階層から提供されるコンポーネントＰＯ＿ＵＥ＿ＰＵＳＣＨ、ｃ（ｊ）との合計で構成されるパラメータである。ＰＬｃは、サービングセルｃに対するＵＥにおいてｄＢ単位で計算された下向きリンク経路損失評価であり、ＰＬｃ＝ｒｅｆｅｒｅｎｃｅＳｉｇｎａｌＰｏｗｅｒ（上位階層でフィルタリングされた基準信号受信パワー）（ＲＳＲＰ）であって、このとき、ｒｅｆｅｒｅｎｃｅＳｉｇｎａｌＰｏｗｅｒは、上位階層により提供され、ＲＳＲＰ及び前記上位階層フィルタリング構成は、前記基準サービングセルに対して定義される。サービングセルｃが１次セルを含むタイミングアドバンスグループ（ＴＡＧ）に属する場合、前記１次セルの上向きリンクに対して、前記１次セルは、ｒｅｆｅｒｅｎｃｅＳｉｇｎａｌＰｏｗｅｒ及び上位階層によりフィルタリングされたＲＳＲＰを決定するための基準サービングセルとして使用される。２次セルの上向きリンクに対して、上位階層パラメータｐａｔｈｌｏｓｓＲｅｆｅｒｅｎｃｅＬｉｎｋｉｎｇにより構成されたサービングセルがｒｅｆｅｒｅｎｃｅＳｉｇｎａｌＰｏｗｅｒ及び上位階層でフィルタリングされたＲＳＲＰを決定するための基準サービングセルとして使用される。サービングセルｃが１次セルを含まないＴＡＧに属する場合には、サービングセルｃがｒｅｆｅｒｅｎｃｅＳｉｇｎａｌＰｏｗｅｒ及びさらに上位階層フィルタリングされたＲＳＲＰを決定するための基準サービングセルとして使用される。
【００７２】
ＵＥの全体伝送パワーがＰ＾ＣＭＡＸ（ｉ）を超過するならば、ＵＥは、サブフレームｉ内のサービングセルｃに対するＰ＾ＰＵＳＣＨ、ｃ（ｉ）の大きさを調節して数式４が満たされるようにする。
【００７３】
＜数４＞
【数４】
2020043601.tif 000007
【００７４】
数式４において、Ｐ＾ＰＵＣＣＨ（ｉ）は、ＰＰＵＣＣＨ（ｉ）の線形値、Ｐ＾ＰＵＳＣＨ、ｃ（ｉ）は、ＰＰＵＳＣＨ、ｃ（ｉ）の線形値、Ｐ＾ＣＭＡＸ（ｉ）は、サブフレームｉでＵＥの構成された合計最大出力パワーＰＣＭＡＸの線形値であり、ｗ（ｉ）は、サービングセルｃに対するＰ＾ＰＵＳＣＨ、ｃ（ｉ）のスケーリング因子であって、このとき、０≦ｗ（ｉ）≦１である。サブフレームｉ内にＰＵＣＣＨ伝送がない場合、Ｐ＾ＰＵＣＣＨ（ｉ）＝０である。
【００７５】
ＵＥが、サービングセルｊ上で上向きリンク制御情報（ＵＣＩ）があるＰＵＳＣＨ伝送及び残っているいかなるサービングセルでもＵＣＩがないＰＵＳＣＨを有し、また、ＵＥの合計送信パワーがＰ＾ＣＭＡＸ（ｉ）を超過しようとする場合、前記ＵＥは、数式５を満たすようにサブフレームｉでＵＣＩを有さないサービングセルに対するＰ＾ＰＵＳＣＨ、ｃ（ｉ）の大きさを調整する。
【００７６】
＜数５＞
【数５】
2020043601.tif 000008
【００７７】
Ｐ＾ＰＵＳＣＨ、ｊ（ｉ）は、ＵＣＩがあるセルに対するＰＵＳＣＨ伝送パワーであり、ｗ（ｉ）は、ＵＣＩを有さないサービングセルｃに対するＰ＾ＰＵＳＣＨ、ｃ（ｉ）のスケーリング因子である。このような場合に、
【化１】
2020043601.tif 000009
でなく、前記ＵＥの合計送信パワーが依然としてＰ＾ＣＭＡＸ（ｉ）を超過しようとする場合でない場合には、いかなるパワー大きさ調節もＰ＾ＰＵＳＣＨ、ｊ（ｉ）に適用されない。ｗ（ｉ）＞０であるとき、ｗ（ｉ）値がサービングセル等にわたって同一でありうるが、特定のサービングセル等に対してはｗ（ｉ）が０になり得るということに留意しなければならない。
【００７８】
前記ＵＥが、サービングセルｊ上にＵＣＩがあるＰＵＣＣＨとＰＵＳＣＨ伝送及びいかなる残余サービングセルにもＵＣＩがないＰＵＳＣＨ伝送を同時に有する場合に、また、ＵＥの全体伝送パワーがＰ＾ＣＭＡＸ（ｉ）を超過しようとする場合、前記ＵＥは、数式６によるＰ＾ＰＵＳＣＨ、ｃ（ｉ）を取得する。
【００７９】
＜数６＞
【数６】
2020043601.tif 000010
【００８０】
前記ＵＥが多重のＴＡＧ等で構成され、ＴＡＧ内の与えられたサービングセルに対するサブフレームｉ上での前記ＵＥのＰＵＣＣＨ／ＰＵＳＣＨ伝送が、さらに他のＴＡＧ内の他のサービングセルに対するサブフレームｉ＋１上のＰＵＳＣＨ伝送の１番目シンボルの一部と重なる場合、前記ＵＥは、重なるいかなる部分上でもＰＣＭＡＸを超過しないように自分の全体伝送パワーを調節するようになるであろう。
【００８１】
前記ＵＥが多重のＴＡＧ等で構成され、ＴＡＧ内の与えられたサービングセルに対するサブフレームｉ上での前記ＵＥのＰＵＳＣＨ伝送が、さらに他のＴＡＧ内の他のサービングセルに対するサブフレームｉ＋１上のＰＵＣＣＨ伝送の１番目シンボルの一部と重なる場合、前記ＵＥは、重なるいかなる部分上でもＰＣＭＡＸを超過しないように自分の全体伝送パワーを調節するようになるであろう。
【００８２】
前記ＵＥが多重のＴＡＧ等で構成され、ＴＡＧ内の与えられたサービングセルに対するサブフレームｉ上のシンボルでの前記ＵＥのＳＲＳ伝送が同一であるか、さらに他のＴＡＧ内の他のサービングセルに対するサブフレームｉ＋１上のＰＵＣＣＨ／ＰＵＳＣＨ伝送と重なる場合、前記ＵＥは、シンボルの重なるいかなる部分上で自分の全体伝送パワーがＰＣＭＡＸを超過するようになると、ＳＲＳを脱落させることになるであろう。
【００８３】
前記ＵＥが多重のＴＡＧ等及び２個を越えるサービングセルで構成され、与えられたサービングセルに対するサブフレームｉ上のシンボルでの前記ＵＥのＳＲＳ伝送が、互いに異なるサービングセル（等）上のサブフレームｉ上のＳＲＳ伝送及びさらに他のサービングセル（等）に対するサブフレームｉまたはサブフレームｉ＋１上のＰＵＳＣＨ／ＰＵＣＣＨ伝送と重なる場合、前記ＵＥは、シンボルの重なるいかなる部分上で自分の全体伝送パワーがＰＣＭＡＸを超過するようになると、前記ＳＲＳ伝送を脱落させることになるであろう。
【００８４】
前記ＵＥが多重のＴＡＧ等で構成された場合、前記ＵＥは、上位階層により２次サービングセル内の物理任意接続チャネル（ＰＲＡＣＨ）を他のＴＡＧに属する互いに異なるサービングセルのサブフレーム上のシンボルでのＳＲＳ伝送と並行して伝送するようにする要請を受けると、シンボルの重なるいかなる部分上で自分の全体伝送パワーがＰＣＭＡＸを超過するようになる場合に、ＳＲＳを脱落させるであろう。
【００８５】
前記ＵＥが多重のＴＡＧ等で構成された場合、前記ＵＥは、上位階層により２次サービングセル内のＰＲＡＣＨを他のＴＡＧに属する互いに異なるサービングセル内のＰＵＳＣＨ／ＰＵＣＣＨと並行して伝送するようにする要請を受けると、シンボルの重なるいかなる部分上でも自分の全体伝送パワーがＰＣＭＡＸを超過しないようにＰＵＳＣＨ／ＰＵＣＣＨの伝送パワーを調節するようになるであろう。
【００８６】
ＰＵＣＣＨに対する上向きリンクパワー制御が記述される。サービングセルｃが１次セルである場合、サブフレームｉ内のＰＵＣＣＨ伝送のためのＵＥ伝送パワーＰＰＵＣＣＨの設定は、数式７により定義される。
【００８７】
＜数７＞
【数７】
2020043601.tif 000011
［ｄＢｍ］
【００８８】
ＵＥが１次セルに対するＰＵＣＣＨを伝送していない場合には、ＰＵＣＣＨに対するＤＣＩ様式３／３Ａとして受信されたＴＰＣ命令の蓄積のために、前記ＵＥは、サブフレームｉでのＰＵＣＣＨ伝送に対するＵＥ伝送パワーＰＰＵＣＣＨが数式８により計算されることと仮定することになるであろう。
【００８９】
＜数８＞
【数８】
2020043601.tif 000012
［ｄＢｍ］
【００９０】
前述された数式等において、ＰＣＭＡＸ、ｃ（ｉ）は、サービングセルｃに対するサブフレームｉで構成されたＵＥである。パラメータΔＦ＿ＰＵＣＣＨ（Ｆ）は、上位階層により提供される。前記ＵＥが２つのアンテナポート上でＰＵＣＣＨを伝送するように上位階層により構成された場合、ΔＴｘＤ（Ｆ’）の値は、上位階層により提供される。そうでない場合、ΔＴｘＤ（Ｆ’）＝０である。ｈ（ｎＣＱＩ、ｎＨＡＲＱ、ｎＳＲ）は、ＰＵＣＣＨフォーマットに依存する値であって、ここで、ｎＣＱＩは、チャネル品質情報（ＣＱＩ）に対する情報ビットの個数に該当する。サブフレームｉがＵＬ−ＳＣＨに対するいかなる連関された伝送ブロックも有していないＵＥに対するＳＲのために構成された場合、ｎＳＲ＝１であり、そうでない場合、ｎＳＲ＝０＝０である。ＰＯ＿ＰＵＣＣＨは、上位階層により提供されるパラメータＰＯ＿ＮＯＭＩＮＡＬ＿ＰＵＣＣＨ及び上位階層により提供されるパラメータＰＯ＿ＵＥ＿ＰＵＣＣＨの合計で構成されるパラメータである。
【００９１】
以下では、本発明の実施形態に係る上向きリンクパワーの制御のための方法が説明される。本発明の一実施形態は、ＵＥに対してインタサイト（ｉｎｔｅｒ−ｓｉｔｅ）搬送波集合が使用されるときのパワー制御の側面を提案することができる。インタサイト搬送波集合は、少なくとも２つの搬送波が理想的なバックホールまたは理想的でないバックホールに連結されることができる別のｅＮＢ等と連関されている場合、ＵＥが多重の搬送波で構成されることと定義されることができる。ＵＥが２つのＵＬ伝送（ＰＵＳＣＨ／ＰＵＣＣＨを含む）を同時に行うことができるときは、次のような場合が考慮され得る。
【００９２】
・事例１：理想的バックホールにわたってＦＤＤ＋ＦＤＤまたは同じＤＬ／ＵＬ構成ＴＤＤ＋ＴＤＤ
【００９３】
・事例２：理想的でないバックホールにわたってＦＤＤ＋ＦＤＤまたは同じＤＬ／ＵＬ構成ＴＤＤ＋ＴＤＤ
【００９４】
・事例３：理想的ＦＤＤ＋ＴＤＤまたは互いに異なるＤＬ／ＵＬ構成ＴＤＤ＋ＴＤＤ
【００９５】
・事例４：理想的でないＦＤＤ＋ＴＤＤまたは互いに異なるＤＬ／ＵＬ構成ＴＤＤ＋ＴＤＤ
【００９６】
ＵＥが２つのＵＬ伝送を同時に行うことができなければ、次のような場合が考慮され得る。
【００９７】
・事例５：理想的ＦＤＤ＋ＦＤＤまたは同じＤＬ／ＵＬ構成ＴＤＤ＋ＴＤＤ
【００９８】
・事例６：理想的でないＦＤＤ＋ＦＤＤまたは同じＤＬ／ＵＬ構成ＴＤＤ＋ＴＤＤ
【００９９】
・事例７：理想的ＦＤＤ＋ＴＤＤまたは互いに異なるＤＬ／ＵＬ構成ＴＤＤ＋ＴＤＤ
【０１００】
・事例８：理想的でないＦＤＤ＋ＴＤＤまたは互いに異なるＤＬ／ＵＬ構成ＴＤＤ＋ＴＤＤ
【０１０１】
以下では、便宜上、２つ以上の搬送波グループが、各搬送波グループがＰＵＣＣＨを受信する搬送波を有することができる単一ｅＮＢにより構成される場合を「ＰＵＣＣＨオフロード（ｏｆｆｌｏａｄｉｎｇ）」と呼ぶことにする。ＰＵＣＣＨ搬送波の番号が１つのみの搬送波グループに制限されることができるが、各搬送波グループは、多重搬送波を有することができる。以下に説明される本発明の実施形態は、ＰＵＣＣＨオフロードの場合に適用されることができる。
【０１０２】
ＦＤＤ／ＴＤＤ集合または互いに異なるＤＬ／ＵＬ  ＴＤＤ構成に対する上向きリンクパワー制御が記述される。これは、上述された３、４、７、及び８に該当することができる。
【０１０３】
図８は、システムフレーム番号（ｓｙｓｔｅｍ  ｆｒａｍｅ  ｎｕｍｂｅｒ：ＳＦＮ）境界の誤った整列またはスロット／サブフレーム番号の誤った整列の例を見せる。構成により２つのｅＮＢ間のＦＤＤ及びＴＤＤ搬送波が集合されたり、互いに異なるＤＬ／ＵＬ  ＴＤＤ搬送波が集合されるときには、ＵＥが上向きリンク信号があるとき、これを１つのｅＮＢにのみ伝送するサブフレームの集合があるようになる。例えば、図８に示すように、２つのｅＮＢが各々単一ＣＣを有し、大型ｅＮＢはＦＤＤを採択し、小型セルｅＮＢはＴＤＤ  ＤＬ／ＵＬ構成１を採択し、２つのｅＮＢ間の時間同期化が整列される場合、前記ＵＥは、少なくともサブフレーム＃０、＃４、＃５、＃９で、大型ｅＮＢにただ１つの上向きリンク伝送が発生し、それに対し、他のサブフレームでは、潜在的に２つの上向きリンク伝送が２つのｅＮＢに同時に発生できると仮定することができる。ただ１つのｅＮＢのみが上向きリンク受信をすることができるＵＬサブフレームの集合（例えば、サブフレーム＃０、＃４、＃５、＃９）は、「ＨＩ＿ＵＬ」と呼ばれることができ、潜在的に２つのｅＮＢが上向きリンク受信をすることができる他のＵＬサブフレーム（例えば、サブフレーム＃２、＃３、＃７、＃８、（＃１、＃６））は、各ｅＮＢに対して「ＬＯ＿ＵＬ」と呼ばれることができる。各ｅＮＢが２つ以上のＣＣを有するとき、ＨＩ＿ＵＬは、前記ｅＮＢ内の少なくとも１つのＣＣが構成された上向きリンクサブフレームを有し、他のｅＮＢは、同じサブフレーム内で構成されたＵＬサブフレームを有さないＵＬサブフレームを含むことができる。これは、またＬＯ＿ＵＬ集合にも同様に適用されることができる。
【０１０４】
このような面を効率的に活用するために、ＨＩ＿ＵＬ（ＰＣＭＡＸ、ｅＮＢｊ、２）及びＬＯ＿ＵＬ（ＰＣＭＡＸ、ｅＮＢｊ、１）で使用される２つのＰＣＭＡＸ、ｅＮＢｊ値が各々与えられ得る。例えば、図８に示すように、ＰＣＭＡＸ、ｅＮＢｊ、１がサブフレーム＃６、＃７、＃１、＃２で使用され、ＰＣＭＡＸ、ｅＮＢｊ、２が他のサブフレームで使用され得る。ＴＤＤ搬送波の特別なサブフレームと衝突するＦＤＤ  ＵＬサブフレームでは、ＰＣＭＡＸ、ｅＮＢｊ、２が使用されることと仮定されることができる。しかし、ＳＲＳ伝送が特別なサブフレームで頻繁に発生できる場合、ＰＣＭＡＸ、ｅＮＢｊ、１が使用されることと仮定されることができる。どこでＰＣＭＡＸ、ｅＮＢｊ、２が使用されたかを表すビットマップは、上位階層によりシグナリングされ得る。これを支援するために、インタサイト（ｉｎｔｅｒ−ｓｉｔｅ）ＣＡが使用されるとき、ｅＮＢのうちの１つは、ネットワーク同期化またはサブフレーム境界のオフセットを探し出すための発見を行うか、前記ＵＥが２つの搬送波間のオフセットを知らせることができる。このような接近方式の動機は、ＴＤＤを採択したＳＣｅｌｌがいかなるデータも伝送しないときは、ＵＥがさらに高いＵＬ  ＴＸパワーを使用し、ＴＤＤを採択したＳＣｅｌｌがデータを伝送するときは、前記ＵＥが多少低いＵＬ  ＴＸパワーを使用するように許すためのことである。さらに他の潜在的動機は、１つの範囲内の他のｅＮＢへの２つのＵＬ伝送パワーの差を維持することである。例えば、小型セルへのＵＬ  ＴＸパワーが非常に小さい場合、大型セルへのＵＬ  ＴＸパワーが（同時に伝送されるとき）特定のしきい値を超過しないことができる。したがって、ＰＣｅｌｌに対するＰＣＭＡＸは、他のｅＮＢへの同時上向きリンク伝送が潜在的に発生できるサブフレームに制限され得る。このような動機を実現することと係り、次のようないくつの他の接近方式が使用可能である。
【０１０５】
（１）２つのＰＣＭＡＸ、ｅＮＢｊを有する構成：上述したように、２つのＰＣＭＡＸ値が構成されて各集合で活用され得る（他のｅＮＢ  ＵＬを有し、他のｅＮＢ  ＵＬ無しで）
【０１０６】
（２）パワー制御数式の変更：ＰＵＳＣＨ伝送のためのＵＥ伝送パワーの設定は、次のように定義される。これは、数式１を本発明の一実施形態に係る数式に変更することでありうる。
【０１０７】
同じ技術が、２つの留保された最小パワーが各搬送波グループに対する互いに異なるサブフレーム集合毎に構成され得る各搬送波グループ当り、留保された最小パワー割当に適用されることができる。このうち、一例は、導かれた最小パワーの高い値をｅＩＭＴＡ動作に対して構成されたサブフレームの１番目の集合に対して許し、導かれた最小パワーの低い値をｅＩＭＴＡ動作に対して構成されたサブフレームの２番目の集合に対して許すものである。
【０１０８】
ＵＥが、他のサービングセルへのＰＵＣＣＨまたはＰＵＳＣＨ伝送無しで、また、サービングセルｃに対して同時ＰＵＣＣＨ無しでサービングセルｃに対するＰＵＳＣＨを伝送する場合、前記サービングセルｃに対するサブフレームｉ内でのＰＵＳＣＨ伝送に対するＵＥ伝送パワーＰＰＵＳＣＨ、ｃ（ｉ）は、数式９により与えられる。
【０１０９】
＜数９＞
【数９】
2020043601.tif 000013
［ｄＢｍ］
【０１１０】
ＵＥは、「パワー適応（ｐｏｗｅｒ  ａｄａｐｔａｔｉｏｎ）ＣＣ」＝ｘＣｅｌｌで構成されることができ、ここで、他のＣＣが同じ時間に伝送している場合には、ｘＣｅｌｌのＵＬパワーが低められるようになるであろう。例えば、ｘＣｅｌｌは、ＰＣｅｌｌまたはＳＣｅｌｌでありうる。
【０１１１】
ＵＥが、サービングセルｃがｘＣｅｌｌである所で他のサービングセルへのＰＵＣＣＨまたはＰＵＳＣＨ伝送無しで、また、サービングセルｃに対して同時ＰＵＣＣＨ無しでサービングセルｃに対するＰＵＳＣＨを伝送する場合、前記サービングセルｃに対するサブフレームｉ内でのＰＵＳＣＨ伝送に対するＵＥ伝送パワーＰＰＵＳＣＨ、ｃ（ｉ）は、数式１０により与えられる。
【０１１２】
＜数１０＞
【数１０】
2020043601.tif 000014
［ｄＢｍ］
【０１１３】
数式１０において、ＰＵＬ、ｏｔｈｅｒＣＣ（ｉ）は、他のＣＣに指定された上向きリンクパワーの合計である。
【０１１４】
ＵＥが、サービングセルｃがｘＣｅｌｌである所で他のサービングセルへのＰＵＣＣＨまたはＰＵＳＣＨ伝送無しで、また、サービングセルｃに対して同時ＰＵＣＣＨを有してサービングセルｃに対するＰＵＳＣＨを伝送する場合、前記サービングセルｃに対するサブフレームｉ内でのＰＵＳＣＨ伝送に対するＵＥ伝送パワーＰＰＵＳＣＨ、ｃ（ｉ）は、数式１１により与えられる。
【０１１５】
＜数１１＞
【数１１】
2020043601.tif 000015
［ｄＢｍ］
【０１１６】
ＵＥが、サービングセルｃがｘＣｅｌｌである所で他のサービングセルへのＰＵＣＣＨまたはＰＵＳＣＨ伝送で、また、サービングセルｃに対する同時ＰＵＣＣＨを有してサービングセルｃに対するＰＵＳＣＨを伝送する場合、前記サービングセルｃに対するサブフレームｉ内でのＰＵＳＣＨ伝送に対するＵＥ伝送パワーＰＰＵＳＣＨ、ｃ（ｉ）は、数式１２により与えられる。
【０１１７】
＜数１２＞
【数１２】
2020043601.tif 000016
［ｄＢｍ］
【０１１８】
これは、２つのみのｅＮＢ間のＵＬ伝送に拡張されることができる。これが拡張されれば、ＰＵＳＣＨ伝送に対するＵＥ伝送パワーの設定は、次のように定義される。
【０１１９】
ＵＥが他のｅＮＢへのＰＵＣＣＨまたはＰＵＳＣＨ伝送無しで、また、サービングセルｃに対して同時ＰＵＣＣＨ無しでｅＮＢｊのサービングセルｃに対するＰＵＳＣＨを伝送する場合、前記サービングセルｃに対するサブフレームｉ内でのＰＵＳＣＨ伝送に対するＵＥ伝送パワーＰＰＵＳＣＨ、ｃ（ｉ）は、数式１３により与えられる。
【０１２０】
＜数１３＞
【数１３】
2020043601.tif 000017
［ｄＢｍ］
【０１２１】
ＵＥが他のｅＮＢへのＰＵＣＣＨまたはＰＵＳＣＨ伝送を有し、また、サービングセルｃに対して同時ＰＵＣＣＨ無しでｅＮＢｊのサービングセルｃに対するＰＵＳＣＨを伝送する場合、前記サービングセルｃに対するサブフレームｉ内でのＰＵＳＣＨ伝送に対するＵＥ伝送パワーＰＰＵＳＣＨ、ｃ（ｉ）は、数式１４により与えられる。
【０１２２】
＜数１４＞
【数１４】
2020043601.tif 000018
［ｄＢｍ］
【０１２３】
数式１４において、Ｐ＾ＣＭＡＸ、ｅＮＢ｜１−ｊ］（ｉ）は、他のｅＮＢ  ＵＬ伝送に対して構成された最大パワーである。
【０１２４】
ＵＥが他のサービングセルへのＰＵＣＣＨまたはＰＵＳＣＨ伝送無しで、また、サービングセルｃに対して同時ＰＵＣＣＨを有してｅＮＢｊのサービングセルｃに対するＰＵＳＣＨを伝送する場合、前記サービングセルｃに対するサブフレームｉ内でのＰＵＳＣＨ伝送に対するＵＥ伝送パワーＰＰＵＳＣＨ、ｃ（ｉ）は、数式１５により与えられる。
【０１２５】
＜数１５＞
【数１５】
2020043601.tif 000019
［ｄＢｍ］
【０１２６】
ＵＥが、サービングセルｃがｘＣｅｌｌである所で他のサービングセルへのＰＵＣＣＨまたはＰＵＳＣＨ伝送を有し、また、サービングセルｃに対する同時ＰＵＣＣＨを有してサービングセルｃに対するＰＵＳＣＨを伝送する場合、前記サービングセルｃに対するサブフレームｉ内でのＰＵＳＣＨ伝送に対するＵＥ伝送パワーＰＰＵＳＣＨ、ｃ（ｉ）は、数式１６により与えられる。
【０１２７】
＜数１６＞
【数１６】
2020043601.tif 000020
［ｄＢｍ］
【０１２８】
ＰＵＳＣＨ伝送に対するＵＥ伝送パワーを計算する実際方程式は、上述した数式９ないし１６と多少異なることができる。このようなアイデアは、他のｅＮＢへの潜在的な上向きリンク伝送がある場合に、上向きリンク信号伝送の最大パワーを縮小しようとするものである。他のｅＮＢが小型セルであることと仮定すれば、前記小型セルに対して構成された最大パワーは非常に小さいことができる。したがって、本発明は、保守的なパワー制御を仮定する。しかし、（潜在的な）２つのｅＮＢへの同時上向きリンク伝送が存在する場合、ＵＬ信号を減少させるために、一部他の値（または、大きさが下向き調節された値）が使用され得る。より詳しくは、ｅＮＢｊは、大型セル（または、さらに高い最大ＵＬパワーで構成されたｅＮＢ）に制限され得る。言い替えれば、ＰＣｅｌｌまたはＣ平面セルによりサービスを受けるＣＣのみが小型セルまたはＳＣｅｌｌに対するＵＬパワーを考慮し得る。
【０１２９】
（３）ＰＣＭＡＸ、ｃとともにスケーリング因子ρの使用：例えば、ＰＣＭＡＸ、ｃ（ｉ）は、構成されたＣＣのうち、ただ１つのＵＬサブフレーム内と同様でありうるし、ＰＣＭＡＸ、ｃ（ｉ）は、構成されたＣＣのうち、２つ以上のＵＬサブフレーム内でρ×ＰＣＭＡＸ、ｃ（ｉ）に大きさが小さく調整され得る。例えば、ρ＝０．８である。これは、２つのｅＮＢ間のみのＵＬ伝送に拡張されることができる。このような場合、ＰＣＭＡＸ、ｅＮＢｊ（ｉ）は、単一ＵＬ受信ｅＮＢが予想される所と同様でありうるし、ＰＣＭＡＸ、ｅＮＢｊ（ｉ）は、構成されたＣＣのうち、２つ以上のＵＬ受信ｅＮＢが予想される所でρ×ＰＣＭＡＸ、ｅＮＢｊ（ｉ）に大きさが小さく調整され得る。他の方式として、ＰＣＭＡＸ、ｅＮＢｊ（ｉ）＝ＰＣＭＡＸであり、このとき、単一ＵＬ受信ｅＮＢが予想され、ＰＣＭＡＸ、ｅＮＢｊ（ｉ）＝ρ×ＰＣＭＡＸであり、このとき、２つ以上のＵＬ受信ｅＮＢが予想される。ρは、各ｅＮＢに対して構成されるか、各ｅＮＢ当り、計算されることができる。
【０１３０】
同様に、ＰＣＭＡＸ、ｃは、ＨＩ＿ＵＬサブフレームで使用されることに対し、Ｐａｌｌｏｃ、ｘｅＮＢのように構成されたパワーは、ＬＯ＿ＵＬに対するガイドラインとして使用される。言い替えれば、他のｅＮＢがいかなる上向きリンク伝送も有していない場合には、ＤＬ／ＵＬ構成、不連続的な受信（ＤＲＸ）構成、非活性化、向上した干渉緩和、及びトラフィック適用（ｅＩＭＴＡ）などにより、未使用のパワーが１つのｅＮＢに適用され得る。
【０１３１】
非同期搬送波が集合されたときの上向きリンクパワー制限が記述される。
【０１３２】
図９は、非同期ＵＬ伝送の例を見せる。図９において説明された例と同様に、２つのｅＮＢがＵＥのＵＬ伝送が整列されるように整列されていない場合がありうる。ＰＣＭＡＸを扱うことと係り、このような場合は、適宜扱われなければならない。特に、各ｅＮＢに対して単一及び二重ＵＬ伝送サブフレームを活用するために、２つのＰＣＭＡＸ値が構成される場合、このような値をいかに適用するかも明確に明かされなければならない。
【０１３３】
図１０は、本発明の一実施形態に係る上向きリンクパワーを制御するための方法の例を見せる。本発明のこのような実施形態に係る１つの接近方式は、ＨＩ＿ＵＬサブフレームを決定するためのサブフレーム指標に基づいたものである。このような場合、上向きリンクサブフレームを有する互いに異なるｅＮＢ内で同じサブフレーム指標を有するサブフレーム（サブフレームオフセットを有するか、有さない）のみがＬＯ＿ＵＬサブフレームとして考慮され得る。すなわち、このような接近方式では、ＨＩ＿ＵＬパワーを適用するとき、部分的な重ねが考慮されない。
【０１３４】
図１１は、本発明の一実施形態に係る上向きリンクパワーを制御するための方法のさらに他の例を見せる。本発明の実施形態に係る他の接近方式は、互いに異なるｅＮＢ内のＵＬサブフレームとの重ねを有するようになるＵＬサブフレームをＬＯ＿ＵＬサブフレームとしてみなすことである。低い最大パワーが２つの上向きリンク伝送を仮定してＬＯ＿ＵＬサブフレームに適用され得る。すなわち、このような接近方式において、ＨＩ＿ＵＬパワーを適用するとき、部分的な重ねが考慮される。
【０１３５】
それぞれの接近方式は、それ自体の欠点と利点を有している。１番目の接近方式が使用される場合、追加的なパワースケーリングが必要であろう。したがって、１番目の接近方式は、ＵＥがパワースケーリングで構成されるか、２つのｅＮＢに対する２つのＵＬが互いに衝突するとき、パワースケーリングを使用する場合に使用されることができる。２番目の接近方式は、一部の場合に、特に、部分的に重なるサブフレームが大きい場合に完全なパワーを達成できないこともできる。しかし、これは、潜在的なパワースケーリングや発生できる脱落の場合を避けるための簡単な接近方式である。
【０１３６】
したがって、非同期ＣＣが１つのｅＮＢ内に集合されるときは、ＵＥがパワーリミテッドケースを扱うためにパワースケーリングを使用することができるので、１番目の接近方式が使用され得る。パワーリミテッドケースを扱うために、２つのｅＮＢ間に脱落のためのメカニズムが使用される場合、２番目の接近方式が考慮され得る。
【０１３７】
上述されたように提案された概念は、サブフレームの部分集合を有する一般的な二重連結シナリオに適用され得る。すなわち、上述されたように提案された概念は、最大上向きリンクパワーが異なるように構成され得る所でサブフレームの２つ以上の部分集合が構成される場合に適用され得る。一例として、ＵＥが大型セルと小型セルに二重で連結され、小型セルがｅＩＭＴＡを行うことにより、これにより、２つの上向きリンクパワーループを構成するとき、大型セルで使用可能な最大パワーが上向きリンクパワー制御の集合によってサブフレーム当り、変化することができる。このような概念は、一般性を喪失しないつつ、このような一般的な場合に適用され得る。２つの互いに異なるサブフレームの集合毎に、異なる最大パワー値及び／又はパワー構成が設定され得る。このような場合、ＵＥは、ＨＩ＿ＵＬサブフレームにおいて、他のｅＮＢへの上向きリンク伝送がないと仮定しないことができる。その代わりに、ＬＯ＿ＵＬサブフレームに比べて低いパワーのうちの１つが使用され得る。したがって、前記ＵＥは、ターゲットｅＮＢへのＨＩ＿ＵＬサブフレームでさらに高いパワーを使用することができる。ＨＩ＿ＵＬ及びＬＯ＿ＵＬは、各ｅＮＢに対してまたは搬送波グループに対して構成されることができる。または、１つの構成が、このような構成がＰＣｅｌｌを含む搬送波グループに適用される所で共有され得る。
【０１３８】
現在のパワー制御手順によれば、ほとんどの場合、ＵＥは、２つ以上のｅＮＢへの同時伝送をパワーの制限無しで扱うことができる。特に、大型セルと小型セルへの高いパワーの上向きリンク及び相対的に低いパワーの上向きリンク連結が管理される二重連結シナリオに対して、大型セルに対する上向きリンクパワー設定が小型セルに対する低いパワーのために大きくないときは、２つのパワーを合わせたものがＵＥ最大パワーを超過しないことができる。しかし、ＵＥが大型セルから多少離れることができ、これにより、大型セルに対する上向きリンクパワーが高いことができる。小型セルへの伝送を保護するために、次のような種々の接近方法が考慮され得る。
【０１３９】
（１）２つのｅＮＢのうちの１つ、または２つのｅＮＢの両方に対するＨＩパワー及び／又はＬＯパワーサブフレームの一部静的な（ｓｅｍｉ−ｓｔａｔｉｃ）構成：一例は、各ｅＮＢに対して互いに異なる最大パワーが構成され得る所で互いに異なる上向きリンクサブフレーム集合を構成するものである。
【０１４０】
図１２は、本発明の一実施形態によってｅＮＢに対する互いに異なる上向きリンクサブフレーム集合及び互いに異なる最大パワーを設定することの例を見せる。ここで、互いに異なるＰＣＭＡＸ、ｃを構成する代わりに、ｅＩＭＴＡ設定またはセル間干渉調整（ｉｎｔｅｒ−ｃｅｌｌ  ｉｎｔｅｒｆｅｒｅｎｃｅ  ｃｏｏｒｄｉｎａｔｉｏｎ：ＩＣＩＣ）設定で使用されたＰ０及び／又はαのような他のパラメーターが考慮され得る。言い替えれば、２つのｅＮＢ間の調整を介して、パワーが互いに異なるサブフレームで均等でない優先権で分配されることができる。
【０１４１】
（２）大型セルのみでパワースケーリングを行う：パワー制限が発生すれば、パワースケーリングまたは上向きリンク伝送脱落が大型セルのみで発生するようにして、小型セルでの伝送が保護され得る。他の方式として、Ｃ平面でない、セルでのパワースケーリングも考慮され得る。
【０１４２】
（３）ＰＨＲ触発：さらに他の接近方式は、パワー制限が発生すれば、伝送パワーを他のｅＮＢ（等）または搬送波（等）に反射させることである。このような場合、他のｅＮＢ（等）または搬送波（等）への伝送パワーを考慮して、ＰＨＲが触発されてアップデートとともに報告され得る。
【０１４３】
上述されたＨＩパワーは、構成されない場合にＰＣＭＡＸ、ｃと同様でありうる。ＵＥは、低いパワー（またはパワー共有）を有するサブフレームのみで使用され得るＰＣＭＡＸ、ｃＬＯで構成されることができ、それに対し、高いパワーまたはＰＣＭＡＸ、ｃは、他のサブフレームでも使用されることができる。また、ＬＯパワー及びＨＩパワーは、搬送波毎でない、搬送波グループ毎に構成されることができる。このような場合、サブフレーム集合当り、各搬送波グループに対して割り当てられた最大パワーが互いに異なり得る。また、１ｍｓ境界毎のパワー予算によって、ＵＥは、他の上向きリンク伝送との重ねを考慮してパワーが制限されたか否かを決定することができる。
【０１４４】
時間−ドメインにわたったパワー分割が記述される。ＵＥがパワーの使用を最大化できるようにするために、ＭｅＮＢ及びＳｅＮＢ間のＰＵＣＣＨ伝送に対する上向きリンクサブフレームを分割することが考慮され得る。例えば、ＦＤＤ及びＴＤＤが集合される場合、ＵＥが与えられたサブフレームでＨＡＲＱ−ＡＣＫを報告するように、基準下向きリンクＨＡＲＱ構成がＭｅＮＢに対する前記ＵＥに与えられることができる。しかし、ＨＡＲＱ−ＡＣＫタイミングは、例えば、ＤＬ  ＨＡＲＱ基準構成が構成＃０である場合、ＦＤＤ／ＴＤＤ  ＣＡを支援するための構成＃０による新しいタイミングが当該問題のために支援されるように、ＦＤＤ／ＴＤＤ搬送波集合メカニズムに従うことができる。ここで、核心ポイントは、ＰＵＣＣＨ伝送に対するＨＡＲＱ−ＡＣＫを扱うために、ＴＤＤ  ＤＬ／ＵＬ基準構成を構成できるようにすることである。ＰＵＳＣＨに対し、これは、ＰＵＣＣＨ上でのパワースケーリングがＭｅＮＢ及びＳｅＮＢの両方に対して発生してはならない場所を予定することにより解決されることができる。基準構成により解決され得ないＤＬサブフレームが存在する場合、ＵＥがデータを成功的に復号化できる場合にも、前記ＵＥが当該サブフレーム上のＨＡＲＱ−ＡＣＫを報告することを省略するのを仮定することができる。
【０１４５】
ＦＤＤ／ＦＤＤインタノード資源集合に対して、基準ＴＤＤ  ＨＡＲＱ−ＡＣＫ構成が各ｅＮＢに与えられ得る。上向きリンク間の整列（ＰＵＣＣＨサブフレーム間の重ね）が最小化されるか、除去されるようにオフセットが使用され得る。例えば、オフセット３を有する構成＃０及び＃１がＭｅＮＢ及びＳｅＮＢ間で使用されて、ＰＵＣＣＨ伝送に対する重ねを避けることができる。これは、ＰＲＡＣＨ伝送に対しても使用されることができる。
【０１４６】
ＴＤＤ／ＴＤＤインタノード資源集合のために、上向きリンクを分けることが難しいため、下向きリンクＨＡＲＱタイミングをオフセットとともにＳｅＮＢに付与することが考慮され得る。ＳｅＮＢは、可能であれば、他のオフセットを使用することができる。そうでない場合、ＵＥは、パワー分割または他のメカニズムで構成されることができる。
【０１４７】
ＤＬ  ＨＡＲＱ−ＡＣＫ基準構成がＵＥに構成されるとき、ｅＮＢスケジューリング制限により扱われるＲＲＣの曖昧さがありうる。基準構成がＭｅＮＢに与えられれば、このような基準構成が（ＳｅＮＢ追加／構成段階で）潜在的なオフセット（サブフレーム移動）とともにＳｅＮＢに与えられることができる。
【０１４８】
非同期的ネットワークを考慮するために、ＵＥは、可能なＰＵＣＣＨサブフレーム構成の集合をネットワークに報告して、ネットワークがＨＡＲＱ−ＡＣＫタイミングも適宜再構成するようにすることができる。例えば、ＳｅＮＢがＴＤＤ構成＃０を有する場合、ＵＥは、構成＃１を（オフセットとともに）勧められるＨＡＲＱ−ＡＣＫタイミングとしてＭｅＮＢに報告することができる。
【０１４９】
これは、前記ＵＥがパワーリミテッドケースを頻繁に経る場合にのみ適用されることができる。または、パワーリミテッドケースが頻繁に発生するとき、前記ＵＥは、ネットワークに基準ＤＬ  ＨＡＲＱタイミングを指定することを要請するか、各搬送波グループに対する別のパワーを構成することができる。これは、パワーリミテッドケースのイベントを表すことにより実現されることができる。
【０１５０】
自動的なＵＥパワー選択が説明される。ＵＥが各ｅＮＢに対するパワーを自動的に選択する場合、（パワーを変更する瞬間に）ＰＨＲを報告するのが好ましい。言い替えれば、２つのｅＮＢ間のパワー分割が変更されるとき、ＰＨＲが触発されたり報告されることができる。これは、経路損失の変更により触発されることができる。ＵＥが搬送波グループ当り、最大パワーを計算するとき、前記ＵＥは、（上向きリンクで）構成された搬送波の個数と経路損失の両方を使用することができる。例えば、上向きリンクパワーは「成功的なＰＲＡＣＨ伝送のために使用されるパワー」＋余分になるように構成されることができる。前記余分は、ネットワークにより与えられるか、構成されることができる。言い替えれば、許容可能な最大余分は、ネットワークにより構成されることができ、ここで、ネットワークは、当該余分ウィンドーでのパワー制御を行うであろう。これに基づいて、ＵＥは、ＰＨＲを各ｅＮＢに報告することができる。ネットワーク構成の余分の代わりに、ＵＥは、各搬送波グループに対する余分を決定し、その値をさらにネットワークに報告することができる。
【０１５１】
ＵＥがこのような余分を各ｅＮＢに指定するときは、いくつの規則が考慮され得る。１つは、十分な（または固定された）余分を（最小余分がＵＥに構成されるか、事前構成されたことと仮定）ＭｅＮＢに指定し、ＰＨＲを介して各ｅＮＢに報告される残り（経路損失によって動的に変化する）を使用することである。さらに他の接近方式は、全体余分を２つのｅＮＢ間に均等に（または、スケーリング因子を使用して）分割することである。ＭｅＮＢ及びＳｅＮＢ間の互いに異なるＵＬ構成を考慮して、ＰＨＲの報告が２つの値を含むことができる所では、ＨＩ及びＬＯ集合の各々に対する２つの余分値も考慮され得る。ＵＥが余分を決定する場合には、メッセージ３（Ｍｓｇ３）がＰＨＲの報告を含むことができる。言い替えれば、ＰＨＲがＭｓｇ３伝送で触発されて、前記計算された最大値が２つのｅＮＢに報告され得る。各ｅＮＢのうちの１つに使用可能な上向きリンクがない場合、その次に使用可能な上向きリンクがＰＨＲを報告するために各々使用され得る。言い替えれば、各ｅＮＢに対するＰＨＲ触発は、独立的でありうる。
【０１５２】
このような場合、ＳｅＮＢ条件が発生するとき、ＵＥがＭｅＮＢに割り当てられたパワーを超過できるＭｅＮＢからのＰＵＳＣＨ及び／又はＰＵＣＣＨに対して構成されたパワーを有することが可能である。このような場合、ＭｅＮＢは、状況変化を決定するためにＰＨＲ値を使用し、パワーを適宜構成する。このような場合、前記ＵＥは、新しく決定されたＰＣＭＡＸ、ｃで整列された各搬送波に対して蓄積されたパワーをリセットさせることができる。言い替えれば、ｅＮＢｉ搬送波でＰＣＭＡＸ、ｃ＝ｍｉｎ｛ＰＣＭＡＸ、ｅＮＢｊ、ＰＣＭＡＸ、ｃ｝であり、また、ＳｅＮＢ追加が発生したり、新しい搬送波が構成／活性化される場合、ＵＥは、ＰＣＭＡＸ、ｅＮＢｊを再度決定し、ＰＨＲを各ｅＮＢに報告することができる。その後、ＰＣＭＡＸ、ｃが再度計算され得る。パワーＰＰＵＳＣＨまたはＰＰＵＣＣＨまたはＰＳＲＳのうち、いずれか１つでもＰＣＭＡＸ、ｃを超過する場合、これは、ＰＣＭＡＸ、ｃにリセットされることができる。これは、各チャネルの最大パワーが変更されたネットワークに通報されることができる。
【０１５３】
ＰＨＲを触発するために、物理階層は、ＰＨＲが適宜触発され得るように、パワー設定変更または経路損失変更に対する信号をさらに上位階層に送ることができる。
【０１５４】
図１３は、本発明の一実施形態によって上向きリンクパワーを制御するための方法のさらに他の例を見せる。ＭｅＮＢは、経路損失の変化をＵＥに伝送し、前記ＵＥは、ＭｅＮＢへのＰＲＡＣＨ伝送を行う。同様に、ＳｅＮＢは、経路損失の変化をＵＥに伝送し、前記ＵＥは、ＳｅＮＢへのＰＲＡＣＨ伝送を行う。このような場合、ＰＣＭＡＸは、ＰＣＭＡＸ、ｃとして決定されることができる。ＳｅＮＢは、任意接近半応（ｒａｎｄｏｍ  ａｃｃｅｓｓ  ｒｅｓｐｏｎｓｅ：ＲＡＲ）をＵＥに伝送する。前記ＵＥは、Ｍｓｇ３をＰＨＲとともにＳｅＮＢに伝送する。このような場合、ＰＣＭＡＸ、ＳｅＮＢは、｛ＰＣＭＡＸ、ｃ、ＰＲＥＡＭＢＬＥ＿ＰＯＷＥＲ（経路損失に基づく）＋ｍａｒｇｉｎＳｅＮＢ｝｝として決定されることができる。ＵＥは、ＰＨＲをＭｅＮＢに伝送する。このような場合、ＰＣＭＡＸ、ＭｅＮＢは、ｍｉｎ｛ＰＣＭＡＸ、ｃ、ＰＲＥＡＭＢＬＥ＿ＰＯＷＥＲ（経路損失に基づく）＋ｍａｒｇｉｎＭｅＮＢ｝｝として決定されることができる。
【０１５５】
ＭｅＮＢへの同じカバレッジを維持できるようにするために、ＳｅＮＢ  ＰＲＡＣＨ伝送のために使用可能なパワーを制限することにより、このパワーがＰＣＭＡＸ−ＰＣＭＡＸ、ＭｅＮＢを超過しないようにすることが考慮され得る。ＰＣＭＡＸ、ＭｅＮＢを決定することと係り、いくつの接近方式が考慮され得る。
【０１５６】
（１）サブフレームでＰＣＭＡＸ、ＭｅＮＢ＝ＰＰＵＣＣＨ、ｃ（ｉ）
【０１５７】
（２）ＰＣＭＡＸ、ＭｅＮＢは、上位階層により構成されるか、上位階層構成を使用して計算されることができる。例えば、パワー分画が２つのｅＮＢ間で８０％／２０％である場合、ＰＣＭＡＸ、ＭｅＮＢ＝８０％×ＰＣＭＡＸである。
【０１５８】
（３）ＰＵＣＣＨ／ＰＵＳＣＨ同時伝送が構成される場合、ＰＣＭＡＸ、ＭｅＮＢ＝ＰＰＵＣＣＨ、ｃ（ｉ）＋ＰＰＵＳＣＨ、ｃ（ｉ）
【０１５９】
（４）ＰＣＭＡＸ、ＭｅＮＢ＝ｐｒｅａｍｂｌｅＩｎｉｔｉａｌＲｅｃｅｉｖｅｄＴａｒｇｅｔＰｏｗｅｒ＋ＤＥＬＴＡ＿ＰＲＥＡＭＢＬＥ＋余分であり、このとき、余分は、上位階層により構成されるか、事前に決定されるか、ＵＥにより自動的に選択される。
【０１６０】
パワー制限のため、ＰＲＡＣＨが失敗する場合、ＵＥは、ＳｅＮＢで構成されず、ｅＮＢに報告されないことができる。ＵＬを有する追加的な搬送波が活性化される度に、類似した手順が適用され得る。
【０１６１】
同様に、前記ＳｅＮＢが再構成されれば、ＰＨＲが触発され、再度ＭｅＮＢに報告されることができる。これは、搬送波再活性化に適用され得る（前記搬送波がＵＬを有する場合）。
【０１６２】
特別なサブフレームでの上向きリンク伝送パワー制御が記述される。
【０１６３】
図１４は、特別なサブフレームでのパワー制御問題の一例を見せる。図１４−（ａ）に示すように、ＰＣｅｌｌ１は、ＴＤＤを採択し、ＳＣｅｌｌは、ＴＤＤを採択する。ＰＣｅｌｌのサブフレームは、ＴＤＤ構成のうちの１つに従うことができる。図１４−（ｂ）に示すように、その上でパワースケーリングが行われる領域は、図１４−（ａ）で記述されたサブフレームである。
【０１６４】
ＵＥが２つ以上の上向きリンクを同時に伝送できると仮定すれば、１つのＣＣが特別なサブフレームを有し、他のＣＣ（等）が正常な上向きリンクサブフレームを有するサブフレームでのパワー制御が適宜調整され得る。
【０１６５】
（１）ＦＤＤ  ＳＣｅｌｌでのＰＵＣＣＨ伝送：ＴＤＤ  ＰＣｅｌｌがＳＲＳまたはＰＲＡＣＨを伝送し、それに対し、ＳＣｅｌｌは、ＰＵＣＣＨを伝送する場合、パワースケーリング（上向きリンクパワーが最大パワーを超過する場合）が起こらないことができる。または、短縮されたＰＵＣＣＨが使用され得る（２つのＯＦＤＭシンボルに短縮されたＰＵＣＣＨもＰＲＡＣＨ＋ＰＵＣＣＨ伝送のために使用可能なことと仮定）。
【０１６６】
（２）ＦＤＤ  ＳＣｅｌｌでのＰＵＳＣＨ伝送：ＴＤＤ  ＰＣｅｌｌがＳＲＳまたはＰＲＡＣＨを伝送し、それに対し、ＳＣｅｌｌは、ＰＵＣＣＨを伝送する場合、短縮されたＰＵＳＣＨが使用されないならば、最後の２つのＯＦＤＭシンボル上でのパワースケーリング（上向きリンクパワーが最大パワーを超過する場合）がＰＵＳＣＨ伝送のために使用され得る。または、（どれほど多くの上向きリンクシンボルがＰＣｅｌｌ上向きリンク伝送に対して使用されたかによって）１つまたは２つがＰＵＳＣＨ伝送のために消えることができる。または、ＰＣｅｌｌ及びＳＣｅｌｌ  ＵＬが理想的でないバックホールを介して連結された場合、ＵＥは、（ＵｐＰＴＳでのＰＣｅｌｌ  ＵＬ伝送と関係なく）いつも最後の１つまたは２つのＯＦＤＭシンボルが（ＰＣｅｌｌの特別なサブフレーム構成によって）上向きリンク伝送に対して消えることと仮定することができる。これは、全体上向きリンクパワーが最大パワーを超過する場合にさらに制限される場合、ＵＥは、最後の１つまたは２つのＯＦＤＭシンボルが（ＰＣｅｌｌの特別なサブフレーム構成によって）ＳＣｅｌｌに対する上向きリンク伝送のために使用されないことと仮定することができる。
【０１６７】
（３）ＦＤＤ  ＳＣｅｌｌでのＳＲＳ伝送：ＰＣｅｌｌ及びＳＣｅｌｌが理想的でないバックホールを介して連結された場合、サブフレームでＰＣｅｌｌに対するＳＲＳが構成されたとき、サブフレームで特別なサブフレーム及び正常な上向きリンクサブフレームが互いに衝突する場合に、前記ＵＥは、このようなサブフレームではＳＣｅｌｌに対するＳＲＳを伝送しないことができる。
【０１６８】
（４）ＦＤＤ  ＳＣｅｌｌでのＰＲＡＣＨ伝送：ＰＣｅｌｌ及びＳＣｅｌｌが理想的でないバックホールを介して連結された場合、サブフレームでＰＲＡＣＨが予定されたとき、サブフレームで特別なサブフレーム及び正常な上向きリンクサブフレームが互いに衝突する場合に、前記ＵＥは、このようなサブフレームではＳＣｅｌｌに対するＰＲＡＣＨを伝送しないことができる。
【０１６９】
ＵｐＰＴＳ  ＯＦＤＭシンボルが２つ以上のＳＣｅｌｌ上向きリンクサブフレームと重なるようにタイミング進展が使用されるとき、２次上向きリンクサブフレームは、全体の特別なサブフレーム及び正常な上向きリンクが最後の１つまたは２つのＯＦＤＭで互いに衝突するサブフレームを除いたサブフレームにわたってパワーが調整され得る。全体パワーが１ｍｓの期間の間、最大パワーを超過する場合、これは、最後のいくつのＯＦＤＭシンボルの大きさを縮小することができる。
【０１７０】
ＴＤＤは、ＳＣｅｌｌであることに対し、ＦＤＤは、ＰＣｅｌｌである場合、ＳＣｅｌｌ  ＵｐＰＴＳで構成されたＳＲＳ／ＰＲＡＣＨは、全体パワーが最大パワーを超過するときは伝送されないことができる。ＦＤＤ及びＴＤＤが理想的でないバックホールにわたって集合された場合には、最大パワーと関係なく、ＵｐＰＴＳが非活性化され得る。言い替えれば、ＳＣｅｌｌの特別なサブフレームが「短縮された（ｓｈｏｒｔｅｎｅｄ）」下向きリンクサブフレームとして取り扱われることができる。
【０１７１】
最大パワーを扱うためのパワースケーリングまたは上向きリンクチャネルの脱落と関連した他の規則は、理想的なバックホール及び理想的でないバックホールにわたっての多重時間進展を扱うために決定された規則に従うことができる。ＦＤＤ及びＴＤＤが理想的でないバックホールにわたって集合されたときは、他のチャネルの大きさがＰＣｅｌｌまたはＳＣｅｌｌと関係なく縮小される所では、ＳＲＳ及び／又はＰＵＣＣＨ上のパワースケーリングが不能に設定されるか、潜在的な場合（例えば、サブフレーム＋正常な上向きリンクサブフレーム）が予想されるサブフレームでＳＲＳ及び／又はＰＲＡＣＨが省略され得る。他のサブフレームパワー制御は、各ＣＣに対するスケールの「事前割当（ｐｒｅ−ａｌｌｏｃａｔｉｎｇ）」により（例えば、パワースケーリングがＰＣｅｌｌ及びＳＣｅｌｌ伝送に対して６０％及び４０％の割合で発生するようになる所でＰＣｅｌｌ／ＳＣｅｌｌに対する６０％／４０％のスケーリング）またはＴＤＭによる同時伝送や各ＣＣ当り、事前設定された最大パワーを避けることで（例えば、ＰＣｅｌｌに対して１／２  ＰＣＭＡＸ及びＳＣｅｌｌに対して１／２  ＰＣＭＡＸ）扱われることによって各ＣＣの最大パワーが制限され、これにより、全体パワーが全体ＰＣＭＡＸを超過しないようにすることができる。他の方式として、潜在的な曖昧さなどを避けるために、ＵＥが理想的でないバックホールを介して連結されたｅＮＢに同時伝送できないようにすることができる。このような場合、ＰＣｅｌｌは、（ＴＤＭに対する）各ｅＮＢに対する上向きリンクサブフレームのビットマップを構成するか、ただ１つの上向きリンクＣＣ（排他的）のみを指定することができる。
【０１７２】
ＭｅＮＢまたはＳｅＮＢのうちの１つでｅＩＭＴＡを扱うことが記述される。ＭｅＮＢまたはＳｅＮＢのうち、１つのどの搬送波でｅＩＭＴＡが使用されれば、パワーヘッドルーム報告が影響を受けることができる。ＭｅＮＢに対してＰＨＲが触発されたと仮定すれば、ＳｅＮＢ搬送波に対するＰＨＲ値は、この値が過度に楽観的な値の代わりに、ＰＨＲの「下限（ｌｏｗｅｒ  ｂｏｕｎｄ）」を与えるように計算されなければならない。したがって、ｅＩＭＴＡの観点（柔軟であるか、固定された上向きリンクサブフレームのうちの１つ）での上向きリンクサブフレーム構成と関係なく、柔軟なサブフレーム上のＰＨＲ（すなわち、高いパワーまたは低いＰＨＲ）が報告され得る。他の方式として、ｅＩＭＴＡがどの搬送波に対して構成された場合には、２つのＰＨＲ値が当該搬送波に対して報告され得る。しかし、ＰＨＲが１つのｅＮＢに報告されるとき、他のｅＮＢにより管理される搬送波に対して、ｅＩＭＴＡが他のｅＮＢに属する搬送波に対して構成された場合、ＰＨＲ報告コンテナフォーマットを変えないようにするために、１つのＰＨＲ値のみを報告するのが好ましいであろう。
【０１７３】
ＭｅＮＢ及びＳｅＮＢで使用されるＦＤＤ／ＴＤＤインタノード（ｉｎｔｅｒ−ｎｏｄｅ）集合またはｅＩＭＴＡまたは他のＴＤＤ  ＤＬ／ＵＬ構成において、ＳｅＮＢに対する搬送波がＭｅＮＢに対するＰＨＲを報告したサブフレームで下向きリンクを有するようにすることも可能である。現在規格によれば、ＵＥは、仮想パワーを報告することができる。仮想パワー報告がそんなに有用でないことができるので、本発明は、ＰＵＳＣＨが搬送波に対して予定されなかったとき、ＰＨＲを計算するために使用され得る「基本値（ｄｅｆａｕｌｔ）」の資源割当または上向きリンク付与を仮定することを提案する。このような（資源割当、ＭＣＳなどのような）基本値の構成は、上位階層によりＭｅＮＢによって管理されて、２つのｅＮＢ間でバックホール（ｂａｃｋｈａｕｌ）信号伝送で調整されるようになるＵＥで信号を伝送することができる。他の方式として、次のサブフレームが上向きリンクサブフレームである場合、前記ＵＥは、ＰＨＲに対する次のサブフレームを使用することができる。ＰＨＲが１つのｅＮＢに報告されるときは、基本値の上向きリンク付与の使用が他のｅＮＢにより構成された搬送波に制限され得る。前記他のｅＮＢにより構成された搬送波への実際伝送がある場合、現在値の構成が使用されたか、または実際伝送が発生したかを知らせるために、別のフラグが伝送され得る。
【０１７４】
非同期的ＭｅＮＢ及びＳｅＮＢが考慮されれば、ＭｅＮＢ及びＳｅＮＢが当時にＤＬ／ＵＬ構成を正確に認識していないことが可能である。したがって、基本値の構成に基づいた仮想パワーまたはＰＨＲがどの下向きリンクで使用されれば、これは、ＰＨＲを報告する代わりに、「適用することができない（Ｎｏｔ  ａｐｐｌｉｃａｂｌｅ）」ＰＨＲ値を報告でき、これにより、他のｅＮＢは、一部サブフレームがｅＮＢによる上向きリンク伝送に活用され得ないことが分かるようになる。または、ＵＥは、単純に当該ＰＨＲ報告サブフレームで下向きリンクを有する搬送波に対してＰＨＲを省略することができる。２つのｅＮＢ間の非同期的伝送に対して上向きリンク及び下向きリンクが重なる場合、前記ＵＥは、ＰＨＲを報告するための上向きリンクを選択することができる。
【０１７５】
ＵＬ／ＤＬのｅＩＭＴＡ動的再構成を考慮して、前記ＵＥは、前記受信されたＵＬ／ＤＬ変更を空中インタフェースを介して再度他のｅＮＢに伝送することができる。例えば、ＳｅＮＢに属する搬送波がＤＬ／ＵＬ構成を構成＃５に変更し、これをＭｅＮＢに再度信号を伝送することができる。このような信号生成を許すために、ＰＵＣＣＨフォーマット２のようなコンテンツが活用され得る。
【０１７６】
パワースケーリングに対しては、ｅＩＭＴＡ下での柔軟な上向きリンクサブフレームがＰＵＣＣＨを運搬できないので、低い優先権を有することができる。したがって、パワースケーリングが必要になると、柔軟な上向きリンクサブフレームを有する搬送波が他の搬送波に比べて最も低い優先権を有するようになるであろう。
【０１７７】
ＵＥがｅＩＭＴＡ及びＣＡ（ここで、各搬送波がｅＩＭＴＡを構成）で構成され、また、２つのパワー制御パラメーターで構成されるとき、低いパワーのサブフレームが高いパワーのサブフレームに対してさらに高い優先権を有することができる（言い替えれば、干渉がない搬送波に対する上向きリンク伝送が、干渉があるさらに他の上向きリンク伝送に対してさらに高い優先権を有するようになるであろう）。例えば、パワー制限が発生するとき、ＣＣ１及びＣＣ２がＰＵＳＣＨを同時に伝送し、ＣＣ１が潜在的な干渉無しで上向きリンク伝送を有する場合（及び、つまり、パワーブースティング（ｐｏｗｅｒ  ｂｏｏｓｔｉｎｇ）が要請されなかった場合）、ＵＥがＣＣ１上でさらに高い優先権を有する。
【０１７８】
図１５は、本発明の実施形態が実現される無線通信システムを示す。
【０１７９】
ｅＮＢ８００は、プロセッサ（ｐｒｏｃｅｓｓｏｒ）８１０、メモリ（ｍｅｍｏｒｙ）８２０、及びＲＦ部（ｒａｄｉｏ  ｆｒｅｑｕｅｎｃｙ  ｕｎｉｔ）８３０を備えることができる。プロセッサ８１０は、本明細書で説明された機能、過程、及び／又は方法を実現するように構成されることができる。無線インタフェースプロトコルの階層は、プロセッサ８１０により実現されることができる。メモリ８２０は、プロセッサ８１０と連結され、プロセッサ８１０を駆動するための様々な情報を格納する。ＲＦ部８３０は、プロセッサ８１０と連結され、無線信号を送信及び／又は受信する。
【０１８０】
端末９００は、プロセッサ９１０、メモリ９２０、及びＲＦ部９３０を備えることができる。プロセッサ９１０は、本明細書で説明された機能、過程、及び／又は方法を実現するように構成されることができる。無線インタフェースプロトコルの階層は、プロセッサ９１０により実現されることができる。メモリ９２０は、プロセッサ９１０と連結され、プロセッサ９１０を駆動するための様々な情報を格納する。ＲＦ部９３０は、プロセッサ９１０と連結され、無線信号を送信及び／又は受信する。
【０１８１】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／又はデータ処理装置を備えることができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体、及び／又は他の格納装置を備えることができる。ＲＦ部８３０、９３０は、無線周波数信号を処理するためのベースバンド回路を備えることができる。実施形態がソフトウェアで実現されるとき、前述した技法は、前述した機能を果たすモジュール（過程、機能など）で実現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた様々な手段でプロセッサ８１０、９１０と連結されることができる。
【０１８２】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の１つまたはそれ以上のステップが本発明の範囲に影響を及ぼさずに削除可能であることを理解することができる。
【図１】
2020043601.tif 000021
【図２】
2020043601.tif 000022
【図３】
2020043601.tif 000023
【図４】
2020043601.tif 000024
【図５】
2020043601.tif 000025
【図６】
2020043601.tif 000026
【図７】
2020043601.tif 000027
【図８】
2020043601.tif 000028
【図９】
2020043601.tif 000029
【図１０】
2020043601.tif 000030
【図１１】
2020043601.tif 000031
【図１２】
2020043601.tif 000032
【図１３】
2020043601.tif 000033
【図１４】
2020043601.tif 000034
【図１５】
2020043601.tif 000035